(57)【要約】【課題】少なくとも、全記録容量から、コンテンツが既に記録されている記録済容量、および予約されているコンテンツを記録するために必要とされる予約記録容量を減算した残り記録容量に対応する記録可能時間を含む記録状態を図表示するための表示データを生成することができる記録装置および記録方法ならびにプログラムを提供する。【解決手段】記録部の全記録容量に対応する全記録時間を円全体で表し、記録済容量に対応する記録済時間を表す記録済み領域Ｇ１Ａと、上書き型毎日／毎週予約記録に対応する上書き型毎日／毎週予約記録時間を表す上書き記録領域Ｇ１Ｂと、上書き型毎日／毎週予約記録容量を除く予約記録容量に対応する記録時間を表す予約確保領域Ｇ１Ｃと、全記録容量から記録済容量と予約記録容量とを減算した残り記録容量に対応する記録可能時間を表す空き領域Ｇ１Ｄとを含む記録状態を図表示する。【選択図】      図１５
2004153728.tif 000002
【特許請求の範囲】
【請求項１】
経時的に変化するコンテンツを、予め設定される提供時間枠に区切られる提供予定に従って提供する提供元からのコンテンツを取得する取得手段と、
取得したコンテンツを記録する記録手段と、
前記提供予定を表す提供予定情報に基づいて、コンテンツの記録を予約する記録予約に従って、前記予約されるコンテンツを記録するように記録手段を制御する制御手段と、
記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データを生成するデータ生成手段とを備えることを特徴とする記録装置。
【請求項２】
提供予定情報は、各提供時間枠で提供されるコンテンツに関連するキーワードを含むインデックスをさらに有し、
記録予約は、
利用者がコンテンツを指定して予約する手動予約と、
特定の提供時間枠を繰返して予約する繰返し予約と、
予め設定される嗜好キーワードを含むインデックスに対応するコンテンツを予約するキーワード予約と、
利用者の利用状況に基づいてコンテンツを予約するおすすめ予約とを含み、データ生成手段は、予約記録時間を、手動予約と、繰返し予約と、キーワード予約と、おすすめ予約とを分類して記録状態を図表示するための表示データを生成することを特徴とする請求項１記載の記録装置。
【請求項３】
データ生成手段は、予め定める一定期間先までの記録予約に基づいて、記録状態を図表示するための表示データを生成することを特徴とする請求項１または２記載の記録装置。
【請求項４】
データ生成手段は、さらに記録可能時間を文字で表示するための表示データを生成することを特徴とする請求項１〜３のいずれかに記載の記録装置。
【請求項５】
制御手段は、記録手段に記録されてから予め定める自動削除時間放置されたコンテンツを自動削除するように記録手段を制御し、
データ生成手段は、記録済時間に関して、記録されてから視聴されたコンテンツの記録容量に対応する視聴済時間と、記録されてから放置されているコンテンツの記録容量に対応する自動削除予定時間とを分類して図表示するための表示データを生成することを特徴とする請求項１記載の記録装置。
【請求項６】
データ生成手段は、記録状態を図表示するときに表示データを生成することを特徴とする請求項１記載の記録装置。
【請求項７】
データ生成手段は、記録状態が変化するときに表示データを生成することを特徴とする請求項１記載の記録装置。
【請求項８】
予め設定される提供時間枠に区切られる提供予定に従って提供元から提供され、経時的に変化するコンテンツを、前記提供予定を表す提供予定情報およびコンテンツの記録を予約する記録予約に基づいて取得し、記録手段に記録するにあたって、
記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データを生成するデータ生成工程を備えることを特徴とする記録方法。
【請求項９】
請求項８記載の記録方法を、コンピュータに実行させるためのプログラム。
【発明の詳細な説明】
【０００１】
【発明の属する技術分野】
本発明は、たとえば動画像などのコンテンツを記録する記録装置および記録方法ならびにプログラムに関する。
【０００２】
【従来の技術】
動画像を記録する記録装置の第１の従来技術として、予約される動画像を記録する時間および記録媒体の残り記録時間を文字で表示するタイマ予約装置がある（たとえば特許文献１参照）。
【０００３】
また第２の従来技術として、記録媒体の残り記録容量に基づいて、動画像を記録するときの記録モードの切換えを行う録画装置がある（たとえば特許文献２参照）。
【０００４】
また第３の従来技術として、既に記録媒体に記録されている動画像の記録時間と、前記動画像の記録容量とに基づいて、記録媒体の残り記録時間を求めて図表示する画像記録装置がある（たとえば特許文献３参照）。
【０００５】
また第４の従来技術として、記録媒体の残り記録容量と、予約される動画像が記録されるときの記録媒体における記憶容量とを比較して、予約される動画像が記録媒体に記録できるか否かを判断して、記録できないと判断した場合には利用者に警告する記録装置がある（たとえば特許文献４参照）。
【０００６】
また第５の従来技術として、動画像の最大ビットレートおよび最小ビットレートに基づいて、記録媒体の残り記録時間の最小値および最大値を求めて表示する記録再生装置がある（たとえば特許文献５参照）。
【０００７】
【特許文献１】
特開平２−１２８３４８号公報
【特許文献２】
特開平８−６５６１６号公報
【特許文献３】
特開平１０−１７２２６９号公報
【特許文献４】
特開２００２−３３９８２号公報
【特許文献５】
特開２００２−１３３７７９号公報
【０００８】
【発明が解決しようとする課題】
前述の第１、第２、第３および第５の従来技術では、記録媒体に既に記録されている動画像の記録済容量などに基づいて、記録媒体の残り記録容量または前記残り記録容量に対応する残り記録時間を求めて、前記残り記録容量または前記残り記録時間を表示したり、記録モードを切換えたりする。また前述の第４の従来技術では、利用者が動画像の記録を予約すると、前記予約される動画像が記録媒体に記録できるか否かを判断して警告する。
【０００９】
しかしこれらの従来技術では、既に動画像の記録が予約されている状態で、利用者が予約の追加をする場合、利用者は、既に予約されている動画像が記録媒体に記録されたときの当該動画像の記録時間、およびそのときに記録することが可能な動画像の記録時間である記録可能時間を、予約の追加をする前に確認することができない。これによって追加して予約される動画像が、最後まで記録されない危険性がある。また利用者は、既に予約されている動画像が記録媒体に記録されたときの記録可能時間を確認できないので、たとえば記録可能時間で記録可能な動画像を選んで予約することができない。
【００１０】
したがって本発明の目的は、少なくとも、全記録容量から、コンテンツが既に記録されている記録済容量、および予約されているコンテンツを記録するために必要とされる予約記録容量を減算した残り記録容量に対応する記録可能時間を含む記録状態を図表示するための表示データを生成することができる記録装置および記録方法ならびにプログラムを提供することである。
【００１１】
【課題を解決するための手段】
本発明は、経時的に変化するコンテンツを、予め設定される提供時間枠に区切られる提供予定に従って提供する提供元からのコンテンツを取得する取得手段と、
取得したコンテンツを記録する記録手段と、
前記提供予定を表す提供予定情報に基づいて、コンテンツの記録を予約する記録予約に従って、前記予約されるコンテンツを記録するように記録手段を制御する制御手段と、
記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データを生成するデータ生成手段とを備えることを特徴とする記録装置である。
【００１２】
本発明に従えば、データ生成手段によって、記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データが生成される。表示装置を記録装置に接続して、生成された表示データを表示装置に与えることによって、全記録時間、記録済時間、予約記録時間および記録可能時間を含む記録状態を図表示して、利用者に記録状態を報知することができる。また時間で表すことによって、記録手段の記録容量で表示する場合に比べて、利用者は容易に確認することができる。
【００１３】
記録手段の全記録時間から、コンテンツが既に記録されている記録済時間を減算した時間を表示するような従来技術では、利用者が、さらにコンテンツの記録の予約をしようとする場合に、既に予約されているコンテンツが記録されたときに、後どのくらいの時間記録可能なのかを確認することができない。本発明では、全記録容量から記録済容量および予約記録容量を減算した残り記録容量に対応する記録可能時間が表示されるので、利用者は、表示される記録状態を見ることで、記録可能時間、すなわち従来技術では確認できなかった既に予約されているコンテンツが記録されたときに記録することができる時間を確認することができる。したがって利用者は、記録可能時間を確認することで、さらに予約しようとするコンテンツが記録可能であるか否かを判断することができるので、記録できない時間のコンテンツを誤って予約して、当該コンテンツが最後まで記録されないということを防止して、円滑に予約することができる。
【００１４】
また図表示される記録状態は、全記録時間、記録済時間、予約記録時間および記録可能時間を含むので、利用者は、記録手段の全記録時間における、記録済時間、予約記録時間および記録可能時間の割合を容易に確認することができる。これによって、たとえば利用者が、さらにコンテンツの記録を予約するときに、当該コンテンツを記録できるだけの記録可能時間が無い場合、利用者は、記録済時間および予約記録時間を確認して、既に記録されているコンテンツを削除したり、予約を取消したりして、記録可能時間を増やして、さらに予約しようとするコンテンツを確実に予約することができる。このように利用者の予約における自由度を高くして、利用者の意思に応じた予約を実現することができる。
【００１５】
また本発明は、提供予定情報は、各提供時間枠で提供されるコンテンツに関連するキーワードを含むインデックスをさらに有し、
記録予約は、
利用者がコンテンツを指定して予約する手動予約と、
特定の提供時間枠を繰返して予約する繰返し予約と、
予め設定される嗜好キーワードを含むインデックスに対応するコンテンツを予約するキーワード予約と、
利用者の利用状況に基づいてコンテンツを予約するおすすめ予約とを含み、
データ生成手段は、予約記録時間を、手動予約と、繰返し予約と、キーワード予約と、おすすめ予約とを分類して記録状態を図表示するための表示データを生成することを特徴とする。
【００１６】
本発明に従えば、データ生成手段によって、予約記録時間を、手動予約と、繰返し予約と、キーワード予約と、おすすめ予約とを分類して記録状態を図表示するための表示データが生成される。このように記録状態において、予約記録時間は、手動予約と、繰返し予約と、キーワード予約と、おすすめ予約とに分類されるので、利用者は、予約記録時間における、各予約の割合を容易に確認することができる。これによって、たとえば利用者が、さらにコンテンツの記録を予約するときに、当該コンテンツを記録できるだけの記録可能時間が無い場合、利用者は、予約記録時間における各予約の割合を確認して、取消したい予約を判断し、その予約を取消して、記録可能時間を増やして、さらに予約しようとするコンテンツを確実に予約することができる。このように利用者の予約における自由度をさらに高くして、利用者の意思に応じた予約を実現することができる。
【００１７】
また本発明は、データ生成手段は、予め定める一定期間先までの記録予約に基づいて、記録状態を図表示するための表示データを生成することを特徴とする。
【００１８】
本発明に従えば、データ生成手段によって、予め定める一定期間先までの記録予約に基づいて、記録状態を図表示するための表示データが生成される。たとえば特定の提供時間枠を繰返して予約する繰返し予約が記録予約に含まれる場合、前記繰返し予約される全てのコンテンツの記録時間が総和されて、予約記録時間が非常に長くなって、記録可能時間が不足する場合があり得る。したがって、記録状態を、予め定める一定期間先までの記録予約に基づくことで、繰返し予約によって予約記録時間が不足することを防止することができる。
【００１９】
また本発明は、データ生成手段は、さらに記録可能時間を文字で表示するための表示データを生成することを特徴とする。
【００２０】
本発明に従えば、データ生成手段によって、記録可能時間を文字で表示するための表示データが生成されるので、利用者は、たとえば分単位および秒単位の詳細な記録可能時間を確認することができる。
【００２１】
また本発明は、制御手段は、記録手段に記録されてから予め定める自動削除時間放置されたコンテンツを自動削除するように記録手段を制御し、
データ生成手段は、記録済時間に関して、記録されてから視聴されたコンテンツの記録容量に対応する視聴済時間と、記録されてから放置されているコンテンツの記録容量に対応する自動削除予定時間とを分類して図表示するための表示データを生成することを特徴とする。
【００２２】
本発明に従えば、記録手段は、制御手段によって、記録手段に記録されてから予め定める自動削除時間の間放置されたコンテンツを自動削除するように制御される。これによって利用者が視聴しないで放置している記録手段に記録されているコンテンツが増加して、このようなコンテンツによって記録手段の残り記録容量がなくなってしまうことを防止することができる。
【００２３】
またデータ生成手段によって、記録済時間に関して、記録されてから視聴されたコンテンツの記録容量に対応する視聴済時間と、記録されてから放置されているコンテンツの記録容量に対応する自動削除予定時間とを分類して図表示するための表示データが生成される。これによって利用者は、自動削除時間後に提供されるコンテンツを予約したい場合、記録可能時間だけでなく自動削除予定時間をも確認して、当該コンテンツが記録可能であるか否かを判断することができるので、記録できない時間のコンテンツを誤って予約して、当該コンテンツが最後まで記録されないということを防止して、円滑に予約することができる。
【００２４】
また本発明は、データ生成手段は、記録状態を図表示するときに表示データを生成することを特徴とする。
【００２５】
本発明に従えば、表示データは、記録状態を図表示するときに生成されるので、利用者に正確な記録状態を報知することができる。
【００２６】
また本発明は、データ生成手段は、記録状態が変化するときに表示データを生成することを特徴とする。
【００２７】
本発明に従えば、表示データは、記録状態が変化するときに生成されるので、利用者に正確な記録状態を報知することができる。
【００２８】
また本発明は、予め設定される提供時間枠に区切られる提供予定に従って提供元から提供され、経時的に変化するコンテンツを、前記提供予定を表す提供予定情報およびコンテンツの記録を予約する記録予約に基づいて取得し、記録手段に記録するにあたって、
記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データを生成するデータ生成工程を備えることを特徴とする記録方法である。
【００２９】
本発明に従えば、データ生成工程で、記録手段の全記録容量と、コンテンツが既に記録されている記録済容量と、予約されているコンテンツを記録するために必要とされる予約記録容量と、全記録容量から記録済容量および予約記録容量を減算した残り記録容量と、に基づいて、全記録容量に対応する全記録時間と、記録済容量に対応する記録済時間と、予約記録容量に対応する予約記録時間と、前記残り記録容量に対応する記録可能時間とを含む記録状態を図表示するための表示データが生成される。生成された表示データを表示装置に与えることによって、全記録時間、記録済時間、予約記録時間および記録可能時間を含む記録状態を図表示して、利用者に記録状態を報知することができる。また時間で表すことによって、記録手段の記録容量で表示する場合に比べて、利用者は容易に確認することができる。
【００３０】
記録手段の全記録時間から、コンテンツが既に記録されている記録済時間を減算した時間を表示するような従来技術では、利用者が、さらにコンテンツの記録の予約をしようとする場合に、既に予約されているコンテンツが記録されたときに、後どのくらいの時間記録可能なのかを確認することができない。本発明では、全記録容量から記録済容量および予約記録容量を減算した残り記録容量に対応する記録可能時間が表示されるので、利用者は、表示される記録状態を見ることで、記録可能時間、すなわち従来技術では確認できなかった既に予約されているコンテンツが記録されたときに記録することができる時間を確認することができる。したがって利用者は、記録可能時間を確認することで、さらに予約しようとするコンテンツが記録可能であるか否かを判断することができるので、記録できない時間のコンテンツを誤って予約して、当該コンテンツが最後まで記録されないということを防止して、円滑に予約することができる。
【００３１】
また図表示される記録状態は、全記録時間、記録済時間、予約記録時間および記録可能時間を含むので、利用者は、記録手段の全記録時間における、記録済時間、予約記録時間および記録可能時間の割合を容易に確認することができる。これによって、たとえば利用者が、さらにコンテンツの記録を予約するときに、当該コンテンツを記録できるだけの記録可能時間が無い場合、利用者は、記録済時間および予約記録時間を確認して、既に記録されているコンテンツを削除したり、予約を取消したりして、記録可能時間を増やして、さらに予約しようとするコンテンツを確実に予約することができる。このように利用者の予約における自由度を高くして、利用者の意思に応じた予約を実現することができる。
【００３２】
また本発明は、前記記録方法を、コンピュータに実行させるためのプログラムである。
【００３３】
本発明に従えば、コンピュータを用いて、前述のような利用者の意思に応じた予約を可能にする記録状態の表示を実現することができる。
【００３４】
【発明の実施の形態】
図１は、本発明の実施の一形態の画像記録再生装置１の構成を示すブロック図である。画像記録再生装置１は、たとえば動画像および音声が含まれる動画像などの経時的に変化するコンテンツを、予め設定される提供時間枠に区切られる提供予定に従って提供する複数の放送局２０からのコンテンツを取得し、取得したコンテンツを、画像記録再生装置１に接続される表示装置２１に表示させる。また画像記録再生装置１は、取得したコンテンツを記録し、記録されたコンテンツを再生して表示装置２１に表示させる。画像記録再生装置１は、画像入出力部２、オンスクリーンディスプレイ生成部３、記録部４、プログラムメモリ５、データメモリ６、指示入力部７、計時部８、通信部９、メモリカード接続部１０および中央制御部１１を含んで構成される。
【００３５】
画像入出力部２は、アナログテレビチューナ２ａ、ＡＤコンバータ２ｂ、ＭＰＥＧ２エンコーダ２ｃ、ＭＰＥＧ２デコーダ２ｄおよびＤＡコンバータ２ｅを備える。画像入出力部２には、放送局２０からのアナログテレビジョン放送電波を受信するためのアンテナ２ｆが接続される。また画像入出力部２には、たとえばテレビジョン受像装置などで実現される表示装置２１および図示しないアナログ方式のビデオテープレコーダ（Ｖｉｄｅｏ  Ｔａｐｅ  Ｒｅｃｏｒｄｅｒ  ；略称：ＶＴＲ）などに接続可能なアナログ画像出力端子およびアナログ音声出力端子ならびにアナログ画像入力端子およびアナログ音声入力端子が備えられる。以後これらの入力端子および出力端子をまとめて、アナログ入出力端子と表記することがある。
【００３６】
各放送局２０からのコンテンツは、各放送局２０に割り振られたチャンネルに対応する搬送波周波数のアナログテレビジョン放送電波によって提供され、アナログテレビチューナ２ａは、選局される放送局２０からのアナログテレビジョン放送電波、換言すれば選択されるチャンネルに対応する搬送波周波数のアナログテレビジョン放送電波を、アンテナ２ｆを介して受信して増幅する。さらにアナログテレビチューナ２ａは、受信したアナログテレビジョン放送電波に含まれ、コンテンツを表すアナログコンテンツ信号を抽出する検波を行う。前記アナログテレビチューナ２ａによって検波されたアナログコンテンツ信号は、ＡＤコンバータ２ａおよびアナログ入出力端子に接続される表示装置２１およびＶＴＲに与えられてもよい。コンテンツは、アナログテレビチューナ２ａによって、アナログデータとして取得される。
【００３７】
ＡＤコンバータ２ｂは、アナログコンテンツ信号をデジタルコンテンツ信号に変換するアナログ・デジタル（Ａｎａｌｏｇ  ｔｏ  Ｄｉｇｉｔａｌ  ；略称：ＡＤ）変換を行う。前記アナログコンテンツ信号は、アナログテレビチューナ２ａおよびアナログ入出力端子に接続されるＶＴＲから与えられてもよい。前記デジタルコンテンツ信号は、ＭＰＥＧ２エンコーダ２ｃおよび中央制御部１１に与える。コンテンツは、このＡＤコンバータ２ｂでＡＤ変換されてデジタルデータ化される。
【００３８】
ＭＰＥＧ２エンコーダ２ｃは、ＭＰＥＧ２規格に基づいて、デジタルコンテンツ信号を符号化して、符号化コンテンツ信号を生成する。前記デジタルコンテンツ信号は、ＡＤコンバータ２ｂから与えられてもよい。前記符号化コンテンツ信号は、中央制御部１１を介して、記録部４、通信部９およびメモリカード接続部１０に与えられてもよい。コンテンツは、このＭＰＥＧ２エンコーダ２ｃで符号化される。
【００３９】
ＭＰＥＧ２デコーダ２ｄは、ＭＰＥＧ２規格で符号化される符号化コンテンツ信号を復号化して、デジタルコンテンツ信号を生成する。前記符号化コンテンツ信号は、記録部４、通信部９およびメモリカード接続部１０から与えられてもよい。前記デジタルコンテンツ信号は、ＤＡコンバータ２ｅに与えられてもよい。コンテンツは、このＭＰＥＧ２デコーダ２ｄで複合化され、デジタルデータ化される。
【００４０】
ＤＡコンバータ２ｅは、デジタルコンテンツ信号をアナログコンテンツ信号に変換するデジタル・アナログ（Ｄｉｇｉｔａｌ  ｔｏ  Ａｎａｌｏｇ  ；略称：ＤＡ）変換を行う。前記デジタルコンテンツ信号は、ＭＰＥＧ２デコーダ２ｄから与えられてもよい。前記アナログコンテンツ信号は、アナログ入出力端子に接続される表示装置２１およびＶＴＲに与えられてもよい。コンテンツは、このＤＡコンバータ２ａでＤＡ変換されてアナログデータ化される。
【００４１】
表示装置２１は、画像記録装置１からアナログコンテンツ信号によってコンテンツが与えられ、コンテンツである動画像を表示したり、音声を出力したりする。
【００４２】
画像入出力部２は、アンテナ２ｆを介して受信される、放送局２０からのデジタルテレビジョン放送電波に含まれ、コンテンツを表すデジタルコンテンツ信号を抽出する検波を行うデジタルテレビチューナを、さらに備えるようにしてもよい。この場合、デジタルコンテンツ信号は、ＭＰＥＧ２規格に基づいて符号化される符号化コンテンツ信号である。前記符号化コンテンツ信号は、ＭＰＥＧ２デコーダ２ｄに与えられたり、中央制御部１１を介して記録部４に与えられるようにしてもよい。このようにデジタルデータとしてコンテンツを取得するようにしてもよい。
【００４３】
また画像入出力部２は、たとえばデジタル方式でコンテンツを記録可能なハードディスクレコーダ（Ｈａｒｄ  Ｄｉｓｋ  Ｒｅｃｏｒｄｅｒ）、パーソナルビデオレコーダ（Ｐｅｒｓｏｎａｌ  Ｖｉｄｅｏ  Ｒｅｃｏｒｄｅｒ  ；略称：ＰＶＲ）およびＤＶＤ（Ｄｉｇｉｔａｌ  Ｖｅｒｓａｔｉｌｅ  Ｄｉｓｋ）レコーダなどに接続可能なデジタル画像入出力端子およびデジタル音声入出力端子（以後これらの端子をまとめて「デジタル入出力端子」と表記することがある。）を備えるようにしてもよい。この場合、コンテンツは、デジタルコンテンツ信号によって、デジタル入出力端子に接続されるデジタル方式のビデオレコーダに与えられてもよい。
【００４４】
オンスクリーンディスプレイ（Ｏｎ−Ｓｃｒｅｅｎ  Ｄｉｓｐｌａｙ  ；略称：ＯＳＤ）生成部３は、中央制御部１１によって制御され、画像入出力部２から表示装置２１に出力されるアナログデータ形式のコンテンツに合成して、表示装置２１に表示させるための合成データを生成する。
【００４５】
記録部４は、たとえばハードディスクドライブ（Ｈａｒｄ  Ｄｉｓｋ  Ｄｒｉｖｅ  ；略称：ＨＤＤ）などの固定型の磁気記録媒体用いた手段およびデジタル多機能ディスク（Ｄｉｇｉｔａｌ  Ｖｅｒｓａｔｉｌｅ  Ｄｉｓｋ；略称：ＤＶＤ）などの着脱可能な光記録媒体を用いた手段によって実現される。記録部４は、画像データ記録部４ａおよびインデックスデータ記録部４ｂを有する。画像データ記録部４ａには、符号化されたコンテンツが記録される。前記符号化されたコンテンツは、画像入出力部２およびメモリカード接続部１０から与えられてもよい。インデックスデータ記録部４ｂには、前記符号化されたコンテンツの、記録部４における記録アドレス、記録日時、チャンネルおよび符号化ビットレートなどの記録情報、ならびにコンテンツのタイトルなどを含むインデックスが記録される。記録部４は、後述する中央制御部１１によって制御される。
【００４６】
指示入力部７は、キーボードおよびリモートコントローラ（略称：リモコン）２２からのリモコン信号を受信するリモコン受信部などで実現される。指示入力部７は、利用者の入力操作によって、各種入力指令が入力される。
【００４７】
プログラムメモリ５は、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）およびフラッシュメモリ（ｆｌａｓｈ  ｍｅｍｏｒｙ）などの書換え可能な不揮発性メモリで実現される。プログラムメモリ５には、中央制御部１１が実行可能な、記録再生制御プログラム５ａ、画像変換プログラム５ｂ、ＥＰＧ取得プログラム５ｃ、記録予約制御プログラム５ｄ、キーワード予約制御プログラム５ｅ、おすすめ予約制御プログラム５ｆ、フォトアルバム制御プログラム５ｇ、嗜好データ抽出プログラム５ｈおよびＥＰＧ表示プログラム５ｉが記憶されている。各プログラム５ａ〜５ｉの詳細な説明は後述する。
【００４８】
データメモリ６は、たとえばランダムアクセスメモリ（Ｒａｎｄｏｍ  Ａｃｃｅｓｓ  Ｍｅｍｏｒｙ；略称：ＲＡＭ）などの揮発性メモリで実現される。データメモリ６は、記録再生予約データ記憶部６ａ、ＥＰＧデータ記憶部６ｂ、キーワードデータ記憶部６ｃおよび嗜好データ記憶部６ｄを有する。
【００４９】
記録再生予約データ記憶部６ａは、放送局２０からのコンテンツを記録部４に記録することを予約する記録予約に必要な予約情報を記憶する。キーワードデータ記憶部６ｃは、指示入力部７から入力された利用者に関する嗜好キーワードを記憶する。嗜好データ記憶部６ｄは、利用者の利用状況に基づく嗜好データを記憶する。
【００５０】
ＥＰＧデータ記憶部６ｂは、インターネット２５を介して接続されるＥＰＧサーバ２７に蓄積される電子番組案内（Ｅｌｅｃｔｒｏｎｉｃ  Ｐｒｏｇｒａｍ  Ｇｕｉｄｅ；略称：ＥＰＧ）を記憶する。放送局２０は、前記ＥＰＧで表され、予め設定される提供時間枠に区切られる提供予定に従って、アナログテレビジョン放送電波を送信することによって、コンテンツを提供する。ＥＰＧは、詳細に述べると、搬送波周波数に対応する各チャンネル毎に、各提供時間枠で提供されるコンテンツのタイトル、ジャンル、出演者名などのキーワードを含むインデックスを有する。ＥＰＧは、放送局２０からのデジタルコンテンツ信号に重畳して画像記録再生装置１に与えるようにしてもよい。この場合、画像入出力部２によって、デジタルコンテンツ信号からＥＰＧが抽出され、抽出されたＥＰＧは、ＥＰＧデータ記憶部６ｂに記憶される。また、ＥＰＧは、放送局２０からのアナログテレビジョン放送電波における映像信号の垂直帰線区間（Ｖｅｒｔｉｃａｌ  Ｂｌａｎｋｉｎｇ  Ｉｎｔｅｒｖａｌ  ；略称：ＶＢＩ）に重畳して画像記録再生装置１に与えるようにしてもよい。この場合、画像入出力部２によって、映像信号のＶＢＩからＥＰＧが抽出され、抽出されたＥＰＧは、ＥＰＧデータ記憶部６ｂに記憶される。
【００５１】
キーワードデータ記憶部６ｃは、指示入力部７から入力される嗜好キーワードを記憶する。嗜好データ記憶部６ｄは、嗜好データを記憶する。前記嗜好データは、利用者の利用状況に基づいて設定される。また嗜好データは、指示入力部７から入力されてもよい。嗜好データは、たとえば利用者の興味のあるジャンル、高頻度で記録されるコンテンツのタイトルなどである。
【００５２】
計時部８は、たとえばリアルタイムクロック（Ｒｅａｌ  Ｔｉｍｅ  Ｃｌｏｃｋ  ；略称：ＲＴＣ）で実現される。計時部８は、中央制御部１１、プログラムメモリ５およびデータメモリ６の動作の基準となるシステムクロック、ならびに現在時刻などを含むの計時情報を中央制御部１１に与える。
【００５３】
通信部９は、ローカルエリアネットワーク（Ｌｏｃａｌ  Ａｒｅａ  Ｎｅｔｗｏｒｋ；略称：ＬＡＮ）２３を介して第１パーソナルコンピュータ（以後「第１ＰＣ」と略して表記する。）２４に接続して通信可能である。また通信部９は、インターネット２５を介して、第２パーソナルコンピュータ（以後「第２ＰＣ」を略して表記する。）２６、ＥＰＧサーバ２７および携帯電話装置２８に接続して通信可能である。また通信部９は、ＬＡＮ２３を介して接続される第１ＰＣ２４が、インターネット２５を介して、第２ＰＣ２６、ＥＰＧサーバ２７および携帯電話装置２８に接続して通信できるようにするゲートウェイ機能およびルーティング機能を有する。第１および第２ＰＣ２４，２５は、それぞれ１つであってもよいし、複数であってもよい。
【００５４】
また通信部９は、インターネット２５を介して接続されるパーソナルコンピュータなどの通信端末装置から、不正なデータが入って来ないようにするファイアウォール機能を有するようにしてもよい。またＬＡＮ２３は、有線であっても無線であってもよい。
【００５５】
メモリカード接続部１０は、たとえばフラッシュメモリなどの書換え可能な不揮発性メモリを備えるメモリカードを着脱自在にして接続可能である。メモリカード接続部１０にメモリカードを装着することによって接続され、中央制御部１１による制御によって、メモリカードに記憶されている情報を読出したり、メモリカードに情報を記憶させたりする。メモリカードには、たとえばデジタルスチルカメラによって撮影された静止画像を表すフォトデータが記憶されてもよい。
【００５６】
中央制御部１１は、たとえば中央演算処理装置（Ｃｅｎｔｒａｌ  Ｐｒｏｃｅｓｓｉｎｇ  Ｕｎｉｔ  ；略称：ＣＰＵ）で実現され、計時部８からの計時情報に基づいて駆動し、プログラムメモリ５に記憶されている各プログラム５ａ〜５ｉを実行して、各種処理を行う。
【００５７】
中央制御部１１は、記録再生制御プログラム５ａを実行することによって、指示入力部７からの入力指令およびデータメモリ６の記録再生予約データ記憶部６ａに記憶される予約情報に従って、予約されるコンテンツを取得して画像データ記録部４ａに記録するように、画像入出力部２および記録部４を制御する。またこのとき、中央制御部１１は、画像データ記録部４ａに記録されるコンテンツに関連するインデックスを、インデックスデータ記録部４ｂに記録するように、記録部４を制御する。また中央制御部１１は、記録再生制御プログラム５ａを実行することによって、指示入力部７からの、画像データ記録部４ａに記録されているコンテンツを再生することを示す入力指令に従って、画像データ記録部４ａに記録されているコンテンツを表示装置２１に表示および出力させるように、画像入出力部２および記録部４を制御する。このとき記録部４に記録されているコンテンツは、ＭＰＥＧ２デコーダ２ｄに与えられて復号化され、さらにＤＡコンバータ２ｅに与えられてＤＡ変換されて、アナログ入出力端子から表示装置２１に与えられる。
【００５８】
画像入出力部２がデジタル入出力端子を備えている場合、中央制御部１１は、記録再生制御プログラム５ａを実行することによって、記録部４に記録されているコンテンツを、ＤＡコンバータ２ｅを介さずに、デジタル入出力端子に接続されているデジタル方式のビデオレコーダなどに与えるようにしてもよい。
【００５９】
中央制御部１１は、画像変換プログラム５ｂを実行することによって、記録部４に記録されているコンテンツに対して、たとえば符号化ビットレートを変更したり、符号化方式をＭＰＥＧ２からＭＰＥＧ４に変換したりする画像変換処理を行う。さらに中央制御部１１は、記録再生制御プログラム５ａを実行することによって、前述のような画像変換処理が施されたコンテンツを記録するように記録部４を制御したり、ＬＡＮ２３を介して接続される第１ＰＣ２４およびインターネット２５を介して接続される第２ＰＣ２６に与えるように通信部９を制御してもよい。
【００６０】
中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに記憶する。またＥＰＧが放送局２０からのデジタルコンテンツ信号に重畳して画像記録再生装置１に与えられる場合、中央制御部１１は、ＥＰＧ取得プログラム５ｃを実行することによって、デジタルコンテンツ信号からＥＰＧを抽出するように画像入出力部２を制御するとともに、抽出されたＥＰＧをＥＰＧデータ記憶部６ｂに記憶する。
【００６１】
中央制御部１１は、ＥＰＧ表示プログラム５ｉを実行することによって、ＥＰＧデータ記憶部６ｂに記憶されているＥＰＧを、利用者が容易に理解できるような一覧表形式に加工して、画像入出力部２から表示装置２１に与えられるコンテンツに重畳するようにＯＳＤ生成部３を制御する。これによって表示装置２１には、ＥＰＧの一覧表が重畳されるコンテンツが表示される。
【００６２】
利用者がリモコン２２および指示入力部７を入力操作して入力指令が入力されると、中央制御部１１は、記録予約制御プログラム５ｄを実行して、表示装置２１に表示されている一覧表上にカーソルを形成し、入力指令に応じてカーソルを移動させるようにＯＳＤ生成部３を制御する。利用者の入力操作によって所望のコンテンツが指定されると、中央制御部１１は、記録予約制御プログラム５ｄを実行して、ＥＰＧデータ記憶部６ｂに記憶されているＥＰＧに基づいて、指定されたコンテンツの記録開始日時、記録終了日時およびチャンネルなどを含む予約情報を、記録再生予約データ記憶部６ａに記憶する。
【００６３】
利用者がリモコン２２および指示入力部７を入力操作して、コンテンツの記録開始日時、記録終了日時、チャンネル、記録予定画質および記録または視聴の区別などを含む予約情報が入力されると、中央制御部１１は、記録予約制御プログラム５ｄを実行して、前記予約情報を記録再生予約データ記憶部６ａに記憶する。利用者が第１ＰＣ２４、第２ＰＣ２６および携帯電話装置２８を操作して、予約情報を入力して、前記記録予約がＬＡＮ２３およびインターネット２５を介して通信部９に与えられると、中央制御部１１は、記録予約制御プログラム５ｄを実行して、前記記録予約を記録再生予約データ記憶部６ａに記憶する。このようにして手動予約が行われる。
【００６４】
中央制御部１１は、キーワード予約制御プログラム５ｅを実行することによって、データメモリ６のキーワードデータ記憶部６ｃに記憶されている嗜好キーワードに基づいて、ＥＰＧデータ記憶部６ｂに記憶されているＥＰＧを検索して、前記嗜好キーワードを含むインデックスに対応するコンテンツを抽出し、前記コンテンツの提供時間枠およびチャンネルなどを含む予約情報を、記録再生予約データ記憶部６ａに記憶する。このようにしてキーワード予約が行われる。このとき記録開始日時は、提供時間枠におけるコンテンツの提供開始日時であり、記録終了日時は、提供時間枠におけるコンテンツの提供終了日時である。
【００６５】
中央制御部１１は、おすすめ予約制御プログラム５ｆを実行することによって、データメモリ６の嗜好データ記憶部６ｄに記憶されている嗜好データに基づいて、ＥＰＧデータ記憶部６ｂを検索して、前記嗜好データを含むインデックスに対応するコンテンツを抽出し、前記コンテンツの提供時間枠およびチャンネルなどを含む予約情報を記録再生予約データ記憶部６ａに記憶する。このようにして、おすすめ予約が行われる。このとき記録開始日時は、コンテンツの提供時間枠におけるコンテンツの提供開始日時であり、記録終了日時は、提供時間枠におけるコンテンツの提供終了日時である。
【００６６】
中央制御部１１は、フォトアルバム制御プログラム５ｇを実行することによって、メモリカード接続部１０によって読取られたメモリカードに記憶されているフォトデータを記録部４に記録する。また中央制御部１１は、フォトアルバム制御プログラム５ｇを実行することによって、表示装置２１、第１ＰＣ２４、第２ＰＣ２６および携帯電話装置２８に、記録部４に記録されているフォトデータを一覧表形式で表示できるようなフォトアルバムデータを生成する。このように生成されたフォトアルバムデータは、ＬＡＮ２３を介して接続される第１ＰＣ２４、ならびにインターネット２５を介して接続される第２ＰＣ２６および携帯電話装置２８に与えることができる。
【００６７】
中央制御部１１は、嗜好データ抽出プログラム５ｈを実行することによって、利用者の利用状況に基づいて嗜好データを生成して、データメモリ６の嗜好データ記憶部６ｄに記憶する。この嗜好データは、おすすめ予約が行われるときに用いられる。
【００６８】
図２は、表示装置２１に表示されるアプリメニューＭ１を示す図である。表示装置２１の表示画面において、前記表示画面に平行な予め定める第１方向を上方向、前記第１方向とは反対向きの方向を下方向、前記表示画面に平行であって前記第１方向に垂直な第２方向を右方向、前記第２方向とは反対向きの方向を左方向とする。
【００６９】
利用者がリモコン２２に設けられるメニューボタンを押圧すると、アプリメニューＭ１の表示を示す入力指令が指示入力部７に与えられる。中央制御部１１は、前記入力指令に基づいて、アプリメニューＭ１を表す表示データを生成して、前記表示データを画像入出力部２を介して、表示装置２１に与える。これによって図２に示すようなアプリメニューＭ１が表示装置２１に表示される。
【００７０】
アプリメニューＭ１は、ステータス表示領域Ａ１、項目表示領域Ａ２、項目説明表示領域Ａ３、コンテンツ表示領域Ａ４および操作説明表示領域Ａ５を有する。ステータス表示領域Ａ１は、表示画面において上端部に配置される。ステータス表示領域Ａ１には、メニュータイトル、記録モード、記録可能時間および現在日時などのステータス情報が表示される。項目表示領域Ａ２は、表示画面において中央部右寄りに配置される。項目表示領域Ａ２には、テレビＨ１、番組表Ｈ２、番組ナビＨ３、ビデオＨ４、予約Ｈ５、インターネットＨ６、フォトアルバムＨ７および設定Ｈ８を含むメニュー項目がマトリクス状に配置されて表示される。
【００７１】
項目説明表示領域Ａ３は、表示画面において左端部上寄りに配置される。項目説明表示領域Ａ３には、カーソルＣが重ねられて選択されているメニュー項目に関連する説明が表示される。コンテンツ表示領域Ａ４は、表示画面において左端部下寄りに配置される。コンテンツ表示領域Ａ４には、現在選択されているチャンネルに対応する放送局２０から提供されているコンテンツが表示される。操作説明表示領域Ａ５は、表示画面において下端部に配置される。操作説明表示領域Ａ５には、リモコン２２に設けられるボタンに対応する操作説明が表示される。
【００７２】
表示装置２１に図２に示すアプリメニューＭ１が表示されているとき、利用者は、リモコン２２に設けられるカーソルボタンを操作することによって、表示されているカーソルＣを上下左右に移動することができる。利用者は、リモコン２２を操作して、項目表示領域Ａ２に表示されている項目にカーソルＣを移動して所望とするメニュー項目のいずれか１つに重ねることで、前記メニュー項目を選択する。さらにこの状態で、利用者は、リモコン２２に設けられる決定ボタンを押圧することによって、選択したメニュー項目を決定して、選択されたメニュー項目に関連付けされる後述する各種メニューなどを、表示装置２１に表示することができる。
【００７３】
以後、リモコン２２のカーソルボタンを操作して、表示画面に表示されている項目などにカーソルＣを重ねることを、単に「選択する」と表記することがある。また項目などが選択されている状態で、リモコン２２の決定ボタンを押圧することを、単に「決定する」と表記することがある。
【００７４】
表示装置２１に図２に示すアプリメニューＭ１が表示されているとき、利用者が、テレビＨ１を選択して決定すると、中央制御部１１は、現在、画像入出力部２によって選択されているチャンネルに対応する放送局２０から提供されているコンテンツを表示装置２１の表示画面全体に表示するように画像入出力部２を制御する。これによって表示装置２１の表示画面全体に、前記コンテンツが表示される。
【００７５】
表示装置２１に図２に示すアプリメニューＭ１が表示されているとき、利用者が、インターネットＨ６を選択して決定すると、中央制御部１１は、インターネット２５を介して接続されるコンテンツサーバが蓄積しているウェブコンテンツを取得するように通信部９を制御する。また中央制御部１１は、取得したウェブコンテンツを表示装置２１に表示するように画像入出力部２を制御する。これによって表示装置２１に前記ウェブコンテンツが表示される。
【００７６】
表示装置２１に図２に示すアプリメニューＭ１が表示されているとき、利用者が、フォトアルバムＨ７を選択して決定すると、中央制御部１１は、プログラムメモリ５に記憶されているフォトアルバム制御プログラム５ｇを実行して、記録部４およびメモリカード接続部１０に装着されているメモリカードが記録および記憶しているフォトデータを、表示装置２１、第１ＰＣ２４、第２ＰＣ２６および携帯電話装置２８に表示するためのフォトアルバムデータを生成する。これによって表示装置２１ならびに第１ＰＣ２４、第２ＰＣ２６および携帯電話装置２８の表示部（図示せず）にフォトアルバムデータを表示することができる。
【００７７】
表示装置２１に図２に示すアプリメニューＭ１が表示されているとき、利用者が、設定Ｈ８を選択して決定すると、中央制御部１１は、各種設定メニューを表示装置２１に表示するように画像入出力部２を制御する。これによって表示装置２１に前記設定メニューが表示される。
【００７８】
図３は、表示装置２１に表示されるチャンネル別番組表Ｍ２を示す図である。表示装置２１に図２に示すアプリメニューＭ１が表示されているとき、利用者が番組表Ｈ２を選択して決定すると、中央制御部１１は、ＥＰＧ表示プログラム５ｉを実行して、チャンネル別番組表Ｍ２を表示装置２１に表示するように画像入出力部２を制御する。これによって図３に示すようなチャンネル別番組表Ｍ２が表示装置２１に表示される。
【００７９】
チャンネル別番組表Ｍ２は、ステータス表示領域Ａ１、項目説明表示領域Ａ３、コンテンツ表示領域Ａ４、操作説明表示領域Ａ５および番組表表示領域Ａ６を有する。ステータス表示領域Ａ１、項目説明表示領域Ａ３、コンテンツ表示領域Ａ４および操作説明表示領域Ａ５は、前述の図２に示すアプリメニューＭ１と同様であるので、同一の参照符号を付して詳細な説明は省略する。番組表表示領域Ａ６は、表示画面において中央部右寄りに配置される。番組表表示領域Ａ６には、現在選択されているチャンネルの名称が表示される。また番組表表示領域Ａ６には、前記チャンネルで提供されるコンテンツの提供時間枠およびタイトルが上下方向に時系列順に並ぶ一覧表形式の番組表が表示される。また番組表表示領域Ａ６において、所定の方法で設定されるおすすめ度の高いコンテンツには、おすすめマークＥ１が付加されて表示される。
【００８０】
表示装置２１に図３に示すチャンネル別番組表Ｍ２が表示されているとき、利用者は、リモコン２２のカーソルボタンを操作することによって、表示されているカーソルＣを上下に移動することができる。利用者は、リモコン２２を操作して、番組表表示領域Ａ６に表示されているコンテンツのタイトルを選択すると、項目説明表示領域Ａ３には、選択されたコンテンツに対応するインデックスが表示される。利用者がリモコン２２のカーソルボタンを操作することによって、番組表表示領域Ａ６に他のチャンネルで提供されるコンテンツの番組表を表示することができる。また利用者がリモコン２２のカーソルボタンを操作することによって、他の提供時間枠に提供されるコンテンツの番組表を表示することができる。
【００８１】
図４は、表示装置２１に表示される番組ナビＭ３を示す図である。表示装置２１に図２に示すアプリメニューＭ１が表示されているとき、利用者が番組ナビＨ３を選択して決定すると、中央制御部１１は、ＥＰＧ表示プログラム５ｉを実行して、番組ナビＭ３を表示装置２１に表示するように画像入出力部２を制御する。これによって図４に示すような番組ナビＭ３が表示装置２１に表示される。
【００８２】
番組ナビＭ３は、ステータス表示領域Ａ１、項目説明表示領域Ａ３、コンテンツ表示領域Ａ４、操作説明表示領域Ａ５およびおすすめ番組表表示領域Ａ７を有する。ステータス表示領域Ａ１、項目説明表示領域Ａ３、コンテンツ表示領域Ａ４および操作説明表示領域Ａ５は、前述の図３に示すチャンネル別番組表Ｍ２と同様であるので、同一の参照符号を付して詳細な説明は省略する。おすすめ番組表表示領域Ａ７は、表示画面において中央部右寄りに配置される。おすすめ番組表表示領域Ａ７には、予め設定されるおすすめコンテンツの提供時間枠およびタイトルが上下方向に時系列順に並ぶ一覧表形式の番組表が表示される。またおすすめ番組表表示領域Ａ７において、コンテンツには、おすすめ度に応じて、おすすめマークＥ１が付加されて表示される。前記おすすめコンテンツは、中央制御部１１によって、データメモリ６の嗜好データ記憶部６ｄに記憶されている嗜好データに基づいて、ＥＰＧデータ記憶部６ｂに記憶されているＥＰＧから抽出された、前記嗜好データを含むインデックスに対応するコンテンツである。
【００８３】
表示装置２１に図４に示す番組ナビＭ３が表示されているとき、利用者は、リモコン２２のカーソルボタンを操作することによって、表示されているカーソルＣを上下に移動することができる。利用者は、リモコン２２を操作して、おすすめ番組表表示領域Ａ７に表示されているおすすめコンテンツのタイトルを選択すると、項目説明表示領域Ａ３には、選択されたおすすめコンテンツに対応するインデックスが表示される。
【００８４】
図５は、表示装置２１に表示される記録一覧表Ｍ４を示す図である。表示装置２１に図２に示すアプリメニューＭ１が表示されているとき、利用者がビデオＨ４を選択して決定すると、中央制御部１１は、記録再生制御プログラム５ａを実行して、記録部４のインデックスデータ記録部４ｂに記憶されている情報を参照して記録一覧表Ｍ４を表示装置２１に表示するように画像入出力部２を制御する。これによって図５に示すような記録一覧表Ｍ４が表示装置２１に表示される。
【００８５】
記録一覧表Ｍ４は、ステータス表示領域Ａ１、コンテンツ表示領域Ａ４、操作説明表示領域Ａ５、記録一覧表示領域Ａ８および項目説明表示領域Ａ９を有する。ステータス表示領域Ａ１、項目説明表示領域Ａ９、コンテンツ表示領域Ａ４および操作説明表示領域Ａ５は、前述の図３に示すチャンネル別番組表Ｍ２と同様であるので、同一の参照符号を付して詳細な説明は省略する。記録一覧表示領域Ａ８は、表示画面において中央部に配置される。記録一覧表示領域Ａ８には、記録部４に記録されているコンテンツの提供時間枠およびタイトルが上下方向に時系列順に並ぶ一覧表形式の記録一覧表が表示される。また記録一覧表示領域Ａ８において、現在記録中のコンテンツには、現在記録中であることを表す記録中マークＥ２が付加されて表示される。また記録一覧表示領域Ａ８において、削除禁止設定されているコンテンツには、記録部４からの削除を禁止されていることを表す削除禁止マークＥ３が付加されて表示される。また記録一覧表示領域Ａ８において、記録部４に記録されてから利用者がまだ一度も再生していないコンテンツには、未再生を表すＮＥＷマークＥ７が付加されて表示される。また記録一覧表示領域Ａ８において、上書き設定されているコンテンツには、記録部４に記録されている同一タイトルのコンテンツに上書きして記録することを表す上書きマークＥ４が付加されて表示される。
【００８６】
表示装置２１に図５に示す記録一覧表Ｍ４が表示されているとき、利用者は、リモコン２２のカーソルボタンを操作することによって、表示されているカーソルＣを上下に移動することができる。利用者は、リモコン２２を操作して、記録一覧表示領域Ａ８に表示されているコンテンツのタイトルを選択して決定すると、決定されたコンテンツが再生されて、表示装置２１に前記コンテンツが表示される。一度でも再生されたコンテンツに対しては、前記ＮＥＷマークＥ７が取り除かれる。
【００８７】
図６は、表示装置２１に表示される予約方法選択メニューＭ５を示す図である。表示装置２１に図２に示すアプリメニューＭ１が表示されているとき、利用者が番組ナビＨ３を選択して決定すると、中央制御部１１は、記録予約制御プログラム５ｄを実行して、予約方法選択メニューＭ５を表示装置２１に表示するように画像入出力部２を制御する。これによって図６に示すような予約方法選択メニューＭ５が表示装置２１に表示される。
【００８８】
予約方法選択メニューＭ５は、ステータス表示領域Ａ１、操作説明表示領域Ａ５および選択肢表示領域Ａ１０を含んで構成される。ステータス表示領域Ａ１および操作説明表示領域Ａ５は、前述の図３に示すチャンネル別番組表Ｍ２と同様であるので、同一の参照符号を付して詳細な説明は省略する。選択肢表示領域Ａ１０は、表示画面において中央部に配置される。選択肢表示領域Ａ１０には、コンテンツの録画を予約する方法である番組表から予約Ｙ１、番組ナビから予約Ｙ２、マニュアル予約Ｙ３およびキーワード予約Ｙ４ならびに予約した内容を確認するための予約確認Ｙ５の選択肢が表示される。
【００８９】
表示装置２１の表示画面に図６に示す予約方法選択メニューＭ５が表示されているとき、利用者は、リモコン２２のカーソルボタンを操作することによって、表示されているカーソルＣを上下に移動させることができる。利用者は、リモコン２２を操作して、選択肢表示領域Ａ１０に表示されている各選択肢Ｙ１〜Ｙ５のいずれか１つを選択して決定することができる。このように選択肢が決定されると、決定された選択肢に対応するメニューが表示される。
【００９０】
図７は、記録予約における概略的な手順および表示されるメニューを示す図である。表示装置２１に、図６に示す予約方法選択メニューＭ５が表示されているとき、利用者が、番組表から予約Ｙ１を選択して決定すると、中央制御部１１は、記録予約制御プログラム５ｄを実行して、チャンネル別番組表Ｍ３を表示装置２１に表示するように画像入出力部２を制御する。これによって図３に示すチャンネル別番組表Ｍ３が表示装置２１に表示される。チャンネル別番組表Ｍ３が表示されているとき、利用者が記録予約したいコンテンツを選択して決定すると、決定したコンテンツの記録予約が登録される。表示装置２１に図６に示す予約方法選択メニューＭ５が表示されているとき、利用者が、番組ナビから予約Ｙ２を選択して決定すると、図４に示す番組ナビＭ３が表示される。番組ナビＭ３が表示されている状態で、利用者が記録予約したいコンテンツを選択して決定すると、決定したコンテンツの記録予約が登録される。
【００９１】
図８は、表示装置２１に表示される手動予約登録メニューＭ６を示す図である。表示装置２１に図６に示す予約方法選択メニューＭ５が表示されているとき、利用者が、マニュアル予約Ｙ３を選択して決定すると、中央制御部１１は、記録予約制御プログラム５ｄを実行して、手動予約登録メニューＭ６を表示装置２１に表示するように画像入出力部２を制御する。これによって図８に示す手動予約登録メニューＭ６が表示装置２１に表示される。手動予約登録メニューＭ６は、ステータス表示領域Ａ１、操作説明表示領域Ａ５および入力フォーム表示領域Ａ１１を有する。ステータス表示領域Ａ１および操作説明表示領域Ａ５は、前述の図３に示すチャンネル別番組表Ｍ２と同様であるので、同一の参照符号を付して詳細な説明は省略する。入力フォーム表示領域Ａ１１は、表示画面において中央部に配置される。入力フォーム表示領域Ａ１１には、コンテンツのタイトルである番組名と、コンテンツの記録を開始する記録開始日時と、コンテンツの記録を終了する記録終了日時と、コンテンツが提供されるチャンネルを選択する選局と、記録の種類と、記録の画質と、符号化方式の変換とを個々に入力するための入力ボックスが表示される。また入力フォーム表示領域Ａ１１には、「登録」ボタンＢ１および「戻る」ボタンＢ２が表示される。
【００９２】
表示装置２１に図８に示す手動予約登録メニューＭ６が表示されているとき、利用者は、リモコン２２のカーソルボタンを操作することによって、表示されているカーソルＣを上下左右に移動することができる。利用者は、リモコン２２を操作して、入力フォーム表示領域Ａ１１に表示されている入力ボックスを順番に選択しながら、選択した入力ボックスにコンテンツのタイトル、記録開始日時、記録終了日時、コンテンツが提供されるチャンネル、記録の種類、記録の画質、および符号化方式の変換を入力していく。全ての入力ボックスへの入力が完了し、入力した内容に基づいて予約録画を登録する場合には、利用者は、リモコン２２を操作して、入力フォーム表示領域Ａ１１に表示されている「登録」ボタンＢ１を選択して決定する。これによって入力されたコンテンツが予約録画の登録がなされて、入力された内容が予約情報として、データメモリ６の記録再生予約データ記録部６ａに記憶される。
【００９３】
利用者が、リモコン２２を操作して、入力フォーム表示領域Ａ１１に表示されている「戻る」ボタンＢ２を選択して決定すると、表示装置２１に予約方法選択メニューＭ５が表示される。
【００９４】
図９は、表示装置２１に表示されるキーワード一覧表Ｍ７を示す図である。表示装置２１に図６に示す予約方法選択メニューＭ５が表示されているとき、利用者が、キーワード予約Ｙ４を選択して決定すると、中央制御部１１は、キーワード予約制御プログラム５ｅを実行して、キーワード一覧表Ｍ７を表示装置２１に表示するように画像入出力部２を制御する。これによって図９に示すキーワード一覧表Ｍ７が表示装置２１に表示される。キーワード一覧表Ｍ７は、ステータス表示領域Ａ１、操作説明表示領域Ａ５およびキーワード一覧表示領域Ａ１２を有する。ステータス表示領域Ａ１および操作説明表示領域Ａ５は、前述の図３に示すチャンネル別番組表Ｍ２と同様であるので、同一の参照符号を付して詳細な説明は省略する。
【００９５】
キーワード一覧表示領域Ａ１２は、表示画面において中央部に配置される。キーワード一覧表示領域Ａ１２には、予め設定されデータメモリ６のキーワードデータ記憶部６ｃに記憶されている嗜好キーワードが、前記嗜好キーワードに対応するジャンルと、前記嗜好キーワードを含むインデックスに対応するコンテンツの記録予約の設定状態と、現在データメモリ６のＥＰＧデータ記憶部６ｂに記憶されているＥＰＧにおける前記嗜好キーワードを含むインデックスに対応するコンテンツの個数とともに、一覧表形式で表示される。
【００９６】
表示装置２１の表示画面に図９に示すキーワード一覧表Ｍ７が表示されているとき、利用者は、リモコン２２のカーソルボタンを操作することによって、表示されているカーソルＣを上下に移動させることができる。
【００９７】
図１０は、表示装置２１に表示されるキーワード編集メニューＭ８を示す図である。表示装置２１に図９に示すキーワード一覧表Ｍ７が表示されているとき、利用者が、リモコン２２を操作して、所望のキーワードを選択して決定すると、中央制御部１１は、キーワード予約制御プログラム５ｅを実行して、キーワード編集メニューＭ８を表示装置２１に表示するように画像入出力部２を制御する。これによって図１０に示すようなキーワード編集メニューＭ８が表示装置２１に表示される。キーワード編集メニューＭ８は、ステータス表示領域Ａ１、操作説明表示領域Ａ５およびキーワード編集領域Ａ１３を有する。ステータス表示領域Ａ１および操作説明表示領域Ａ５は、前述の図３に示すチャンネル別番組表Ｍ２と同様であるので、同一の参照符号を付して詳細な説明は省略する。
【００９８】
キーワード編集領域Ａ１３は、表示画面において中央部に配置される。キーワード編集領域Ａ１３には、登録および編集するキーワード、前記キーワードに対応するジャンルおよび前記キーワードに対してどのような処理をするかを示すアクションを入力するための入力ボックスが表示される。またキーワード編集領域Ａ１３には、「消去」ボタンＢ３、「登録」ボタンＢ４および「戻る」ボタンＢ５が表示される。
【００９９】
表示装置２１に図１０に示すキーワード編集メニューＭ８が表示されているとき、利用者は、リモコン２２のカーソルボタンを操作することによって、表示されているカーソルＣを上下左右に移動させることができる。利用者は、リモコン２２を操作して、キーワード編集領域Ａ１３に表示されている入力ボックスを順番に選択しながら、選択した入力ボックスに嗜好キーワード、前記嗜好キーワードに対応するジャンル、および前記嗜好キーワードを含むインデックスに対応するコンテンツに対する処理を入力していく。全ての入力ボックスへの入力が完了し、入力した内容に基づいて嗜好キーワードを登録する場合、利用者は、リモコン２２を操作して、キーワード編集領域Ａ１３に表示されている「登録」ボタンＢ４を選択して決定する。これによって嗜好キーワードが登録されて、データメモリ６のキーワードデータ記憶部６ｃに記憶される。
【０１００】
利用者がリモコン２２を操作して、前記入力ボックスを選択して決定すると、前記入力ボックスに、たとえば「｜」のような文字入力用カーソルが表示される。このとき、表示装置２１の表示画面の下部に、文字入力のために一時的に文字を表示するための文字入力領域が表示される。利用者は、リモコン２２に設けられる数字ボタンなどを押圧することによって、前記ボタンに予め割り当てられている文字を入力したり、漢字変換したりすることができる。所望の文字が文字入力領域に表示され、利用者がリモコン２２の決定ボタンを押圧すると、文字入力領域に表示されていた文字が、前記入力ボックスに表示される。入力ボックスへの文字入力が終了すると、利用者がリモコン２２の決定ボタンを押圧することで、カーソルＣの移動が可能になる。
【０１０１】
また登録されている嗜好キーワードを消去する場合、利用者は、リモコン２２を操作して、消去したい嗜好キーワードを入力ボックスに入力して、キーワード編集領域Ａ１３に表示されている「消去」ボタンＢ３を選択して決定する。これによって入力ボックスに入力した嗜好キーワードが、データメモリ６のキーワードデータ記憶部６ｃから消去される。利用者は、リモコン２２を操作して、キーワード編集領域Ａ１３に表示されている「戻る」ボタンＢ５を選択して決定すると、表示装置２１にキーワード一覧表Ｍ７が表示される。
【０１０２】
図１１は、表示装置２１に表示される予約確認メニューＭ９を示す図である。表示装置２１に図６に示す予約方法選択メニューＭ５が表示されているとき、利用者が、予約確認Ｙ５を選択して決定すると、中央制御部１１は、記録予約制御プログラム５ｄを実行して、予約確認メニューＭ９を表示装置２１に表示するように画像入出力部２を制御する。これによって図１１に示す予約確認メニューＭ９が表示装置２１に表示される。予約確認メニューＭ９は、ステータス表示領域Ａ１、操作説明表示領域Ａ５、予約一覧表示領域Ａ１４および予約情報表示領域Ａ１５を有する。ステータス表示領域Ａ１および操作説明表示領域Ａ５は、前述の図３に示すチャンネル別番組表Ｍ２と同様であるので、同一の参照符号を付して詳細な説明は省略する。
【０１０３】
予約一覧表示領域Ａ１４は、表示画面において中央部上寄りに配置される。予約一覧表示領域Ａ１４には、データメモリ６の記録再生予約データ記憶部６ａに記憶されている予約情報に含まれる、記録予約されているコンテンツのタイトルおよび記録開始日時が、記録開始日時順に並んで、一覧表形式で表示される。また予約一覧表示領域Ａ１４において、現在記録中のコンテンツには、現在記録中であることを表す記録中マークＥ２が付加されて表示される。また予約一覧表示領域Ａ１４において、キーワード予約されたコンテンツには、キーワード予約による記録予約であることを表すキーワード予約マークＥ５が付加されて表示される。また予約一覧表示領域Ａ１４において、おすすめ予約されたコンテンツには、おすすめ予約による記録予約であることを表すおすすめ予約マークＥ６が付加されて表示される。
【０１０４】
予約情報表示領域Ａ１５は、表示画面において予約一覧表示領域Ａ１４の下方に配置される。予約一覧表示領域Ａ１４には、データメモリ６の記録再生予約データ記憶部６ａに記憶されている予約情報に含まれる、記録予約されているコンテンツに対応するインデックスが表示される。
【０１０５】
表示装置２１に図１１に示す予約確認メニューＭ９が表示されているとき、利用者は、リモコン２２のカーソルボタンを操作することによって、表示されているカーソルＣを上下に移動させることができる。図１１に示す予約確認メニューＭ９が表示されているとき、利用者は、リモコン２２を操作して、所望のコンテンツのタイトルを選択すると、予約情報表示領域Ａ１５には、選択されたコンテンツに対応するインデックスが表示される。また図１１に示す予約確認メニューＭ９が表示されているとき、利用者は、リモコン２２を操作して、所望のコンテンツのタイトルを選択して決定する。これによって表示装置２１には、図８に示すような手動予約登録メニューＭ６が表示される。
【０１０６】
利用者が、リモコン２２に設けられる機能ボタンを押圧すると、表示装置２１に機能メニューが表示される（図示せず）。この機能メニューには、「予約内容の変更」ボタン、「番組内容を表示」ボタン、「ＷＥＢ検索」ボタン、「予約取消」ボタンおよび「キーワード予約」ボタンが、上から順に並んで表示される。利用者は、リモコン２２のカーソルボタンを操作することによって、表示されているカーソルを上下に移動させることができる。
【０１０７】
利用者が機能メニューの「予約内容の変更」ボタンを選択して決定すると、表示装置２１に図８に示す手動予約登録メニューＭ６が表示される。表示装置２１に、たとえば図４に示す番組ナビＭ３が表示されていて、あるコンテンツが選択されているときに、利用者が機能ボタンを押圧して「番組内容を表示」ボタンを選択して決定すると、表示装置２１に、前記コンテンツに対応するインデックスが、たとえばダイアログの態様で表示される。表示装置２１に、たとえば図１１に示す予約確認メニューＭ９が表示されていて、あるコンテンツが選択されているときに、利用者が機能ボタンを押圧して「ＷＥＢ検索」ボタンを選択して決定すると、前記コンテンツのタイトルなどを検索条件として、インターネットの検索サイトにおいて、前記コンテンツに関連する情報が検索され、その検索結果が表示装置２１に表示される。
【０１０８】
表示装置２１に、たとえば図１１に示す予約確認メニューＭ９が表示されていて、あるコンテンツが選択されているときに、利用者が機能ボタンを押圧して、「予約取消」ボタンを選択して決定すると、表示装置２１に「予約を消去しますか？」というダイアログが表示される。利用者が前記ダイアログ中の「はい」ボタンを選択して決定すると、前記コンテンツの記録予約が削除される。
【０１０９】
利用者が機能メニューの「キーワード予約」ボタンを選択して決定すると、表示装置２１に図９に示すキーワード一覧表Ｍ７が表示される。
【０１１０】
図１２は、記録予約が重複したときに表示装置２１に表示される予約重複確認メニューＭ１０を示す図である。コンテンツの記録予約が登録されると、中央制御部１１は、記録予約制御プログラム５ｄを実行して、データメモリ６の記録再生予約データ記憶部６ａに記憶されている予約情報に基づいて、登録されたコンテンツの提供時間枠が他の登録されているコンテンツの提供時間枠に重複しているか否かを判断する。中央制御部１１が、登録されたコンテンツの提供時間枠と他の登録されているコンテンツの提供時間枠とが重複していると判断すると、中央制御部１１は、予約重複確認メニューＭ１０を表示するように画像入出力部２を制御する。これによって表示装置２１に、図１２に示すような予約重複確認メニューＭ１０が表示される。
【０１１１】
予約重複確認メニューＭ１０は、ステータス表示領域Ａ１、操作説明表示領域Ａ５および重複コンテンツ表示領域Ａ１６を有する。ステータス表示領域Ａ１および操作説明表示領域Ａ５は、前述の図３に示すチャンネル別番組表Ｍ２と同様であるので、同一の参照符号を付して詳細な説明は省略する。重複コンテンツ表示領域Ａ１６は、表示画面において中央部に配置される。重複コンテンツ表示領域Ａ１６には、記録予約されているけれども、提供時間枠が重複している複数のコンテンツの提供時間枠およびタイトルなどを含む予約情報が、一覧表形式で表示される。また重複コンテンツ表示領域Ａ１６には、「する」ボタンＢ６および「しない」ボタンＢ７が、前記予約情報の下方に表示される。
【０１１２】
表示装置２１に図１２に示す予約重複確認メニューＭ１０が表示されているとき、利用者は、リモコン２２のカーソルボタンを操作することによって、表示されているカーソルＣを左右に移動させることができる。利用者は、リモコン２２を操作して、予約重複確認メニューＭ１０に表示されている「する」ボタンＢ６を選択して決定すると、提供時間枠が重複している複数のコンテンツの記録予約を登録することができる。このとき提供時間枠が重複している複数のコンテンツのうち、所定の方法で設定される優先度の高いコンテンツに対して、記録予約が実行される。また利用者は、リモコン２２を操作して、予約重複確認メニューＭ１０に表示されている「しない」ボタンＢ７を選択して決定すると、提供時間枠が重複している複数のコンテンツの記録予約の登録を解除することができる。
【０１１３】
図１３は、記録部４に記録予約されるコンテンツを記録可能な記憶容量が無いときに表示装置２１に表示される容量不足確認メニューＭ１１を示す図である。コンテンツの記録予約が登録されると、中央制御部１１は、記録予約制御プログラム５ｄを実行して、データメモリ６の記録再生予約データ記憶部６ａに記憶されている予約情報と、記録部４とに基づいて、記録予約が登録されるコンテンツを記録部４に記録可能であるか否かを判断する。中央制御部１１が、記録部４には前記コンテンツを記録不可能であると判断すると、中央制御部１１は、容量不足確認メニューＭ１１を表示するように画像入出力部２を制御する。これによって表示装置２１に、図１３に示すような容量不足確認メニューＭ１１が表示される。
【０１１４】
容量不足確認メニューＭ１１は、ステータス表示領域Ａ１、操作説明表示領域Ａ５および記録時間表示領域Ａ１７を有する。ステータス表示領域Ａ１および操作説明表示領域Ａ５は、前述の図３に示すチャンネル別番組表Ｍ２と同様であるので、同一の参照符号を付して詳細な説明は省略する。記録時間表示領域Ａ１７は、表示画面において中央部に配置される。記録時間表示領域Ａ１７には、記録予約されコンテンツを記録するのに必要な時間と、記録部４が記録可能な記録時間とが表示される。また記録時間表示領域Ａ１７には、「する」ボタンＢ８および「しない」ボタンＢ９が、前記予約情報の下方に表示される。
【０１１５】
表示装置２１に図１３に示す容量不足確認メニューＭ１１が表示されているとき、利用者は、リモコン２２のカーソルボタンを操作することによって、表示されているカーソルＣを左右に移動させることができる。利用者は、リモコン２２を操作して、容量不足確認メニューＭ１１に表示されている「する」ボタンＢ８を選択して決定すると、コンテンツの記録予約を登録することができる。また利用者は、リモコン２２を操作して、容量不足確認メニューＭ１１に表示されている「しない」ボタンＢ９を選択して決定すると、前記コンテンツの記録予約の登録を解除することができる。
【０１１６】
本実施の形態において、提供元は放送局２０であり、記録装置は画像記録再生装置１であり、記録手段は記録部４であり、制御手段およびデータ生成手段は中央制御部１１である。また提供予定情報は、電子番組案内（略称：ＥＰＧ）である。この画像記録再生装置１は、記録方法を実行する。
【０１１７】
図１４は、記録部４の記録状態を図表示する手順を示すフローチャートである。図１４に示す記録部４の記録状態を図表示する手順は、中央制御部１１がプログラムメモリ５に記憶されている記録予約制御プログラム５ｄを実行することによって行われる。
【０１１８】
ＥＰＧの取得、利用者による記録予約の登録、修正および削除、コンテンツの記録部４への記録終了、ならびに利用者による記録状態の図表示の要求のうち、少なくともいずれか１つが行われたことを中央制御部１１が判断したとき、ステップｓ０で、記録部４の記録状態を図表示する手順が開始されて、ステップｓ１に進む。本実施の形態において、ＥＰＧの取得は、１日に２回、さらに詳細には、午前９時および午後６時に、中央制御部１１が、インターネット２５を介して接続されるＥＰＧサーバ２７に蓄積されているＥＰＧを取得するように通信部９を制御することによって行われる。
【０１１９】
利用者による記録状態の図表示の要求は、利用者が、たとえばリモコン２２に設けられる、記録状態の図表示要求ボタンを操作することで、記録状態の図表示の要求が指示入力部７を介して中央制御部１１に与えられる。このように利用者による記録状態の図表示の要求があったときに記録状態を求めるので、表示される記録状態は正確な記録状態となり、このような正確な記録状態を利用者に報知することができる。
【０１２０】
またコンテンツの記録部４への記録終了するときとは、記録部４の記録状態が変化するときである。このように記録部４の記録状態が変化するときに記録状態を求めるので、表示される記録状態は正確な記録状態となり、このような正確な記録状態を利用者に報知することができる。
【０１２１】
ステップｓ１では、中央制御部１１は、記録部４の画像データ記録部４ａにおいて、コンテンツが既に記録されている記録済容量を検出して、前記記録済容量に対応する記録済時間を求めて、ステップｓ２に進む。
【０１２２】
表１は、コンテンツを記録するときの記録画質と、コンテンツの記録時間１分当たりの記憶容量との関係を示す表である。表１に示す記録画質とコンテンツの記録時間１分当たりの記憶容量との関係関係は、データメモリ６に記憶される。ステップｓ１において、中央制御部１１は、表１に示す関係に基づいて、検出した記録済容量に対応する記録済時間を求める。
【０１２３】
【表１】
2004153728.tif 000003
【０１２４】
表１において、高画質の記録画質とは、コンテンツが、記録時間１分当たりの記録容量が約６０メガバイトとなる符号化ビットレートで符号化されて、記録部４に記録されるような記録画質である。標準の記録画質とは、コンテンツが、記録時間１分当たりの記録容量が約３０メガバイトとなる符号化ビットレートで符号化されて、記録部４に記録されるような記録画質である。長時間の記録画質とは、コンテンツが、記録時間１分当たりの記録容量が約１５メガバイトとなる符号化ビットレートで符号化されて、記録部４に記録されるような記録画質である。
【０１２５】
図１４に示すステップｓ２では、中央制御部１１は、予約情報に基づいて、予約されているコンテンツを記録するために必要とされる予約記録容量を検出して、前記予約記録容量に対応する予約記録時間を求めて、ステップｓ３に進む。
【０１２６】
表２は、データメモリ６の記録再生予約データ記憶部６ａに記憶されている予約情報の一例を示す表である。
【０１２７】
【表２】
2004153728.tif 000004
【０１２８】
表２に示す予約情報は、記録予約される各コンテンツの、記録開始日時、記録終了日時、チャンネル、コンテンツ内容、記録予約種別、記録種類、記録予定時間、記録予定画質および予想記録容量を含む。記録開始日時は、記録予約されるコンテンツの記録を開始する年月日および時刻を示す。記録終了日時は、記録予約されるコンテンツの記録を終了する年月日および時刻を示す。チャンネルは、記録予約されるコンテンツが提供される放送局２０に対応するチャンネルである。コンテンツ内容は、たとえば記録予約されるコンテンツに対応するＥＰＧのインデックスに含まれるコンテンツのタイトルである。記録予約種別は、コンテンツが、手動予約、毎日／毎週予約、キーワード予約およびおすすめ予約のいずれで記録予約されているかを示す。前記予約種別についての詳細な説明は後述する。
【０１２９】
記録種類は、コンテンツが追記および上書きのいずれで記録予約されているかを示す。前記記録モードについての詳細な説明は後述する。記録予定時間は、記録終了日時から記録開始日時を減算して求められる時間を示す。記録予定画質は、コンテンツが、標準、高画質および長時間のいずれで記録予約されているかを示す。予約記憶容量である予想使用容量は、記録予定時間および記録予定画質ならびに表１に示す関係に基づいて、記録予約されるコンテンツが、記録部４への記録が終了したときに、記録部４においてどのくらいの記憶容量になるかを示す。記録予約されているコンテンツの記録が完了すると、当該コンテンツは予約情報から削除される。
【０１３０】
図１４に示すステップｓ２において、中央制御部１１は、表２の記録予定画質および予想使用容量ならびに表１に示す関係に基づいて、検出した予約記録容量に対応する予約記録時間を求める。また予約記録時間は、記録終了日時から記録開始日時を減算して求められる記録予定時間を、そのまま用いてもよい。
【０１３１】
記録予約種別には、手動予約、毎日／毎週予約、キーワード予約およびおすすめ予約がある。手動予約は、利用者が所望のコンテンツを指定して予約する記録予約である。手動予約において、所望のコンテンツの指定は、利用者がリモコン２２を操作して、図８に示す手動予約登録メニューＭ６を表示装置２１に表示させて、コンテンツのタイトル、記録開始日時、記録終了日時、チャンネル、記録種類、記録画質および符号化方式の変換を入力ボックスに入力して、「登録」ボタンＢ１を選択して決定する。これによって入力された記録開始日時、記録終了日時、チャンネルおよび記録種類がそのまま予約情報に登録され、入力されたコンテンツのタイトルがコンテンツ内容として予約情報に登録され、入力された記録画質が記録予定画質として予約情報に登録される。このとき、記録予約種別は、手動予約として予約情報に登録される。また手動予約における所望のコンテンツの指定は、利用者がリモコン２２を操作して、図３に示すチャンネル別番組表Ｍ２を表示装置２１に表示させて、表示されるコンテンツのタイトルを選択して決定することによって行ってもよい。
【０１３２】
繰返し予約である毎日／毎週予約は、特定の提供時間枠を繰返して予約する記録予約である。詳細に述べると、毎日／毎週予約には、毎日予約と毎週予約とがある。毎日予約は、チャンネル、ならびに記録が開始される時刻および記録が終了する時刻が毎日同じとなるコンテンツの記録予約である。また毎週予約は、チャンネル、曜日、ならびに記録が開始される時刻および記録が終了する時刻が毎週同じとなるコンテンツの記録予約である。毎日／毎週予約は、前述の手動予約において、記録種類を毎日および毎週の曜日を入力することによって、予約情報における記録予約種別が毎日／毎週予約となって登録される。
【０１３３】
また毎日／毎週予約を行うとき、記録種類も入力する。記録種類は、追記および上書きのいずれかである。記録種類の追記とは、毎日／毎週予約であるコンテンツを記録するときに、前回に記録したものを記録部４に残して前記コンテンツを記録することである。記録種類の上書きとは、毎日／毎週予約であるコンテンツを記録するときに、前回に記録したものを記録部４から削除して前記コンテンツを記録すること、または前回に記録したものと同一の記録領域に前記コンテンツを記録することである。記録種類は、記録予約種別が手動予約、キーワード予約およびおすすめ予約の場合には、自動的に追記となる。
【０１３４】
ステップｓ２において、中央制御部１１は、毎日／毎週予約で予約記録されているコンテンツのうち、記録種類が追記であるコンテンツを記録するために必要とされる追記型毎日／毎週予約記録容量と、記録種類が上書きであるコンテンツを記録するために必要とされる上書き型毎日／毎週予約記録容量とを求める。またこのとき中央制御部１１は、追記型毎日／毎週予約記録容量に対応する追記型毎日／毎週予約記録時間と、上書き型毎日／毎週予約記録容量に対応する上書き型毎日／毎週予約記録時間とを求める。
【０１３５】
表２に示す予約情報は、記録予約種別が手動予約となっているコンテンツと、記録予約種別が毎日／毎週予約、キーワード予約およびおすすめ予約であるコンテンツであって、かつ記録開始日時が、ステップｓ２を実行している日時から予め定める一定期間先までの記録予約となっているコンテンツとだけが登録される。本実施の形態において、予め定める一定期間は、たとえば１週間すなわち７日間としてもよい。したがってステップｓ２において予約記録時間は、記録予約種別が手動予約となっているコンテンツと、記録予約種別が毎日／毎週予約、キーワード予約およびおすすめ予約であるコンテンツであって、かつ記録開始日時が、ステップｓ２を実行している日時から予め定める一定期間先までの記録予約となっているコンテンツとの各記録予定時間の総和で求められる。もし、記録予約種別が毎日／毎週予約、キーワード予約およびおすすめ予約となっている全てのコンテンツの記録予定時間を総和すると、予約記録時間が非常に長くなって、後述するステップｓ３で求める記録可能時間が不足する場合があり得る。したがって予め定める一定期間先までの記録予約に基づくことで、特に毎日／毎週予約によって予約記録時間が不足することを防止することができる。
【０１３６】
キーワード予約は、予め設定される嗜好キーワードを含むインデックスに対応するコンテンツを予約する記録予約である。嗜好キーワードは、利用者がリモコン２２を操作して、図１０に示すキーワード編集メニューＭ８を表示装置２１に表示させて、入力ボックスに、嗜好キーワード、前記嗜好キーワードに対応するジャンル、および前記嗜好キーワードを含むインデックスに対応するコンテンツに対する処理を入力して、「登録」ボタンＢ４を選択して決定する。これによって嗜好キーワードが登録されて、データメモリ６のキーワードデータ記憶部６ｃに記憶される。ここで、前記嗜好キーワードを含むインデックスに対応するコンテンツに対する処理に、記録予約と入力することによって、当該コンテンツは予約情報に登録される。またこのとき、記録種類および記録予定画質を入力することもでき、入力された記録種類および記録予定画質が予約情報に登録される。また前記嗜好キーワードを含むインデックスに対応するコンテンツに対する処理に、記録予約しないと入力することによって、当該コンテンツに対しては、記録予約されない。
【０１３７】
おすすめ予約は、利用者の利用状況に基づいてコンテンツを予約する記録予約である。おすすめ予約は、詳細には、データメモリ６の嗜好データ記憶部６ｄに記憶されている嗜好データに基づいて、コンテンツを予約する記録予約である。嗜好データは、中央制御部１１が嗜好データ抽出プログラム５ｈを実行することによって、利用者の利用状況に基づいて生成される。利用者の利用状況とは、たとえば利用者が、どのようなコンテンツを視聴、記録および記録予約したかを示す。中央制御部１１は、嗜好データ抽出プログラム５ｈを実行することによって、ＥＰＧから、利用者によって視聴、記録および記録予約されたコンテンツに対応するインデックスから嗜好データを生成する。さらに中央制御部１１は、おすすめ予約制御プログラム５ｆを実行して、嗜好データをインデックスに含むコンテンツを抽出して、前記コンテンツの提供時間枠およびチャンネルなどを含む予約情報を記録再生予約データ記憶部６ａに記憶する。このとき予約情報における記録予約種別は、おすすめ予約となる。
【０１３８】
記録種類が上書きで毎日／毎週予約で記録予約されているコンテンツであって、既に少なくとも１回は記録部４に記録されているコンテンツに対しては、記録済み容量から当該コンテンツの記録容量を減算して、前記コンテンツの記録容量を上書き型毎日／毎週予約記録容量に加えるようにしてもよい。したがって、記録済み時間から前記コンテンツの記録時間を減算して、前記コンテンツの記録時間を上書き型毎日／毎週予約記録時間に加える。この場合、前記コンテンツを次に記録するときには、現在記録されている分を削除してから記録されるので、前記コンテンツの記録が完了した時点での、記録部４において前記コンテンツによって増加する記録済み容量は零と考えることとする。
【０１３９】
図１４に示すステップｓ３では、中央制御部１１は、記録可能時間を求めて、ステップｓ４に進む。詳細に述べると、ステップｓ３では、中央制御部１１は、先ず記録部４の画像データ記録部４ａの全記録容量を検出する。続いて、中央制御部１１は、全記録容量から、ステップｓ１で検出した記録済容量およびステップｓ２で求めた予約記録容量を減算して、残り記録容量を求める。さらに中央制御部１１は、前記残り記録容量と表１とに基づいて、残り記録容量に対応する記録可能時間を求める。本実施の形態において、残り記録容量に対応する記録可能時間は、記録画質が標準であるとして求める。このとき記録可能時間は、記録画質毎に求めてもよい。またこのとき記録部４の画像データ記録部４ａの全記録容量と表１とに基づいて、前記全記録容量に対応する全記録時間を求める。
【０１４０】
ステップｓ４では、中央制御部１１は、全記録時間と、記録済み時間と、上書き型毎日／毎週予約記録時間と、上書き型毎日／毎週予約記録時間を除く予約記録時間と、記録可能時間とを含む記録状態を図表示するための表示データを生成するとともに、前記表示データを表示装置２１に表示するように画像入出力部２を制御して、ステップｓ５に進み、全ての手順を終了する。
【０１４１】
またステップｓ４では、中央制御部１１は、記録状態を文字で表示するための表示データを生成する。文字で表示される記録状態は、全記録容量と、記録済容量と、上書き型毎日／毎週予約記録容量と、上書き型毎日／毎週予約記録容量を除く予約記録容量と、残り記録容量と、全記録時間と、記録済み時間と、上書き型毎日／毎週予約記録時間と、上書き型毎日／毎週予約記録時間を除く予約記録時間と、記録可能時間とを含む。また中央制御部１１は、記録済み時間と、上書き型毎日／毎週予約記録時間と、上書き型毎日／毎週予約記録時間を除く予約記録時間と、記録可能時間との全記録時間に対する割合を百分率で表す値を求める。記録状態は、このようにして求めた値を含めてもよい。
【０１４２】
さらにステップｓ４では、中央制御部１１は、記録予約に基づいて、手動予約されているコンテンツを記録するために必要とされる手動予約記録容量と、キーワード予約されているコンテンツを記録するために必要とされるキーワード予約記録容量と、おすすめ予約されているコンテンツを記録するために必要とされるおすすめ予約記録容量とを求める。また中央制御部１１は、手動予約記録容量に対応する手動予約記録時間と、キーワード予約記録容量に対応するキーワード予約記録時間と、おすすめ予約記録容量に対応するおすすめ予約記録時間とを求める。さらに中央制御部１１は、手動予約記録時間、追記型毎日／毎週予約記録時間、キーワード予約記録時間およびおすすめ予約記録容量の予約記録時間に対する割合を百分率で表す値を求める。このように求められた値は、記録状態に含められる。
【０１４３】
ＥＰＧの取得およびコンテンツの記録部４への記録終了が行われたと判断されて図１４に示す記録状態の手順が開始された場合、ステップｓ４では、中央制御部１１は、記録状態を図表示するための表示データを生成しないようにしてもよい。
【０１４４】
図１５は、表示装置２１に表示される記録部４の記録状態を模式的に表す円グラフＧ１，Ｇ２およびテーブルＴ１，Ｔ２を示す図である。第１円グラフＧ１は、記録部４の全記録時間を円全体で表し、記録済み領域Ｇ１Ａ、上書き記録領域Ｇ１Ｂ、予約確保領域Ｇ１Ｃおよび空き領域Ｇ１Ｄを扇形で表すことによって、前記各領域Ｇ１Ａ〜Ｇ１Ｄの全記録時間に対する割合を図表示している。第１円グラフＧ１において、記録済み領域Ｇ１Ａは、記録済み時間を表している。上書き記録領域Ｇ１Ｂは、上書き型毎日／毎週予約記録時間を表している。予約確保領域Ｇ１Ｃは、上書き型毎日／毎週予約記録時間を除く予約記録時間を表している。空き領域Ｇ１Ｄは、記録可能時間を表している。このようにして記録部４の記録状態が、表示装置２１に図表示される。これによって利用者は、画像記録再生装置１の記録部４の記録状態を、視覚的に容易に確認することができる。
【０１４５】
第１テーブルＴ１は、記録済み領域Ｇ１Ａに対応する記録済み時間と、上書き記録領域Ｇ１Ｂに対応する上書き型毎日／毎週予約記録時間と、予約確保領域Ｇ１Ｃに対応する上書き型毎日／毎週予約記録時間を除く予約記録時間と、空き領域Ｇ１Ｄに対応する記録可能時間と、全記録時間とを、文字で表示している。また第１テーブルＴ１は、全記録時間を１００パーセントとして、記録済み時間と、上書き型毎日／毎週予約記録時間と、上書き型毎日／毎週予約記録時間を除く予約記録時間と、記録可能時間との、全記録時間に対する割合を百分率で表す文字で表示している。このように各記録時間が文字で表示されるので、利用者は、たとえば分単位および秒単位の詳細な記録時間を確認することができる。
【０１４６】
さらに第１テーブルＴ１は、記録済み領域Ｇ１Ａに対応する記録済み容量と、上書き記録領域Ｇ１Ｂに対応する上書き型毎日／毎週予約記録容量と、予約確保領域Ｇ１Ｃに対応する上書き型毎日／毎週予約記録容量を除く予約記録容量と、空き領域Ｇ１Ｄに対応する残り記録容量と、記録部４の画像データ記録部４ａの全記録時間とを文字で表示している。
【０１４７】
第１テーブルＴ１において、空き領域Ｇ１Ｄに対応する記録可能時間は、記録予定画質別に表示するようにしてもよい。
【０１４８】
第２円グラフＧ２は、第１円グラフＧ１における予約確保領域Ｇ１Ｃに対応する上書き型毎日／毎週予約記録時間を除く予約記録時間を円全体で表し、手動予約部Ｇ２ａ、毎日／毎週予約部Ｇ２ｂ、キーワード予約部Ｇ２ｃおよびおすすめ予約部Ｇ２ｄを扇形で表すことによって、前記各予約部Ｇ２ａ〜Ｇ２ｄの予約確保領域Ｇ１Ｃに対する割合を図示している。手動予約部Ｇ２ａは、手動予約記録時間を表している。毎日／毎週予約部Ｇ２ｂは、追記型毎日／毎週予約記録時間を表している。キーワード予約部Ｇ２ｃは、キーワード予約記録時間を表している。おすすめ予約部Ｇ２ｄは、おすすめ予約記録時間を表している。このようにして予約記録時間を、手動予約と、毎日／毎週予約と、キーワード予約と、おすすめ予約とを分類して記録状態が表示装置２１に図表示される。これによって利用者は、予約記録時間における、手動予約、毎日／毎週予約、キーワード予約およびおすすめ予約の割合を、視覚的に容易に確認することができる。
【０１４９】
第２テーブルＴ２は、手動予約部Ｇ２ａに対応する手動予約記録時間と、毎日／毎週予約部Ｇ２ｂに対応する追記型毎日／毎週予約記録時間と、キーワード予約部Ｇ２ｃに対応するキーワード予約記録時間と、おすすめ予約部Ｇ２ｄに対応するおすすめ予約記録時間と、上書き型毎日／毎週予約記録時間を除く予約記録時間とを、文字で表示している。また第２テーブルＴ２は、上書き型毎日／毎週予約記録時間を除く予約記録時間を１００パーセントとして、手動予約記録時間と、追記型毎日／毎週予約記録時間と、キーワード予約記録時間と、おすすめ予約記録時間との、上書き型毎日／毎週予約記録時間を除く予約記録時間に対する割合を百分率で表す文字で表示している。さらに第２テーブルＴ２は、手動予約記録容量と、追記型毎日／毎週予約記録容量と、キーワード予約記録容量と、おすすめ予約記録容量と、上書き型毎日／毎週予約記録時間を除く予約記録容量とを文字で表示している。
【０１５０】
以上のように本実施の形態の画像記録再生装置１によれば、全記録時間、記録済時間、予約記録時間および記録可能時間を含む記録状態を図１５に示すように図表示して、利用者に記録状態を報知することができる。また時間で表すことによって、記録手段の記録容量で表示する場合に比べて、利用者は容易に確認することができる。記録手段の全記録時間から、コンテンツが既に記録されている記録済時間を減算した時間を表示するような従来技術では、利用者が、さらにコンテンツの記録の予約をしようとする場合に、既に予約されているコンテンツが記録されたときに、後どのくらいの時間記録可能なのかを確認することができない。本実施の形態の画像記録再生装置１では、全記録容量から記録済容量および予約記録容量を減算した残り記録容量に対応する記録可能時間が表示されるので、利用者は、表示される記録状態を見ることで、記録可能時間、すなわち従来技術では確認できなかった既に予約されているコンテンツが記録されたときに記録することができる時間を確認することができる。したがって利用者は、記録可能時間を確認することで、さらに予約しようとするコンテンツが記録可能であるか否かを判断することができるので、記録できない時間のコンテンツを誤って予約して、当該コンテンツが最後まで記録されないということを防止して、円滑に予約することができる。
【０１５１】
また図１５のように図表示される記録状態は、全記録時間、記録済時間、予約記録時間および記録可能時間を含むので、利用者は、記録手段の全記録時間における、記録済時間、予約記録時間および記録可能時間の割合を容易に確認することができる。これによって、たとえば利用者が、さらにコンテンツの記録を予約するときに、当該コンテンツを記録できるだけの記録可能時間が無い場合、利用者は、記録済時間および予約記録時間を確認して、既に記録されているコンテンツを削除したり、予約を取消したりして、記録可能時間を増やして、さらに予約しようとするコンテンツを確実に予約することができる。このように利用者の予約における自由度を高くして、利用者の意思に応じた予約を実現することができる。
【０１５２】
また本実施の形態の画像記録再生装置１によれば、記録状態において、予約記録時間は、手動予約と、毎日／毎週予約と、キーワード予約と、おすすめ予約とに分類されるので、利用者は、予約記録時間における、各予約の割合を容易に確認することができる。これによって、たとえば利用者が、さらにコンテンツの記録を予約するときに、当該コンテンツを記録できるだけの記録可能時間が無い場合、利用者は、予約記録時間における各予約の割合を確認して、取消したい予約を判断し、その予約を取消して、記録可能時間を増やして、さらに予約しようとするコンテンツを確実に予約することができる。このように利用者の予約における自由度をさらに高くして、利用者の意思に応じた予約を実現することができる。
【０１５３】
本実施の形態の画像記録再生装置１において、図１５では、記録状態を円グラフＧ１，Ｇ２で表示したけれども、円グラフに限ることはない。たとえば棒グラフなど、記録済み領域Ｇ１Ａ、上書き記録領域Ｇ１Ｂ、予約確保領域Ｇ１Ｃおよび空き領域Ｇ１Ｄの全記録時間に対する割合を利用者が容易に確認できる態様で表示するようにしてもよい。また記録状態の表示は、図１５に示すような第１および第２円グラフＧ１，Ｇ２ならびに第１および第２テーブルＴ１，Ｔ２すべて表示することに限ることなく、たとえば第１円グラフＧ１だけ、第１テーブルＴ１だけ、第１円グラグＧ１と第１テーブルＴ１とだけ表示するようにしてもよい。また図１５に示す記録状態は、常時、随時更新しながら、表示装置２１の表示画面の一部分に、小さく表示するようにしてもよい。また記録可能時間が予め設定される時間よりも短くなった場合、中央制御部１１は、記録可能時間が少ないことを表す表示データを生成して、前記表示データを表示装置２１に表示するように画像入出力部２を制御するようにしてもよい。
【０１５４】
図１６は、表示装置２１に表示される記録部４の記録状態を模式的に表す円グラフＧ３，Ｇ２およびテーブルＴ３，Ｔ２を示す図である。中央制御部１１は、記録部４に記録されてから予め定める自動削除時間放置されたコンテンツを自動削除するように記録部４を制御するようにしてもよい。予め定める自動削除期間は、前述の表２に示す予約情報に登録される一定期間と同じとし、本実施の形態において１週間、すなわち７日間であってもよい。ここで放置されたコンテンツとは、記録部４に記録されたけれども、利用者が再生して視聴しなかったコンテンツである。
【０１５５】
このように自動削除時間放置されたコンテンツを自動削除する場合、前述の図１４に示す記録部４の記録状態を図表示する手順のステップｓ１では、中央制御部１１は、記録済容量を検出して記録済時間を求めるとともに、記録済容量のうち、ステップｓ１を実行している時点で再生されていないコンテンツのうち、ステップｓ１を実行している日時から、前記一定期間以内、本実施の形態において１週間以内に自動削除されるコンテンツの記録容量である自動削除予定容量を検出して、前記自動削除予定容量に対応する自動削除予定時間を求める。このとき中央制御部１１は、記録部４に記録されて利用者が少なくとも１回は再生して視聴したコンテンツの記憶容量である視聴済容量および前記視聴済容量に対応する視聴済時間を求める。
【０１５６】
ステップｓ３では、中央制御部１１は、記録可能時間に自動削除時間を加算した一定期間後記録可能時間をさらに求める。本実施の形態において、前記一定期間後記録可能時間は、記録画質が標準であるとして求める。このとき一定期間後記録可能時間は、記録画質毎に求めてもよい。
【０１５７】
ステップｓ４では、中央制御部１１は、全記録時間と、記録済み時間と、上書き型毎日／毎週予約記録時間と、上書き型毎日／毎週予約記録時間を除く予約記録時間と、記録可能時間とを含む記録状態を図表示するための表示データを生成するとともに、前記表示データを表示装置２１に表示するように画像入出力部２を制御する。このとき中央制御部１１は、全記録時間に、自動削除予定時間が含まれて図表示されるような表示データを生成する。
【０１５８】
図１５に示す第２グラフＧ２および第２テーブルＴ２は、図１４に示す第２グラフＧ２および第２テーブルＴ２と同じであるので、同一の参照符号を付して、詳細な説明は省略する。第３グラフＧ３は、記録部４の全記録時間を円全体で表し、記録済み領域Ｇ３Ａ、上書き記録領域Ｇ３Ｂ、予約確保領域Ｇ３Ｃおよび空き領域Ｇ３Ｄを扇形で表すことによって、前記各領域Ｇ３Ａ〜Ｇ３Ｄの全記録時間に対する割合を図表示している。第３円グラフＧ３において、記録済み領域Ｇ３Ａは、記録済み時間を表している。上書き記録領域Ｇ３Ｂは、上書き型毎日／毎週予約記録時間を表している。予約確保領域Ｇ３Ｃは、上書き型毎日／毎週予約記録時間を除く予約記録時間を表している。空き領域Ｇ３Ｄは、記録可能時間を表している。
【０１５９】
記録済み領域Ｇ３Ａには、自動削除予定時間を表す自動削除領域Ｇ３Ａ’が図表示される。自動削除領域Ｇ３Ａ’は、記録済み領域Ｇ３Ａの残余の領域との境界を破線で示している。また自動削除領域Ｇ３Ａ’は、空き領域Ｇ３Ｄに隣接して図表示される。このように自動削除領域Ｇ３Ａ’を空き領域Ｇ３Ｄに隣接して図表示することによって、現時点から一定期間後における全記録時間に対する記録可能時間の割合が、自動削除領域Ｇ３Ａ’と空き領域Ｇ３Ｄとを加算した領域で図表示される。これによって利用者は、現時点から一定期間後における全記録時間に対する記録可能時間の割合（すなわち全記録時間に対する一定期間後記録可能時間の割合）を容易に確認することができる。
【０１６０】
第３テーブルＴ３は、記録済み領域Ｇ３Ａに対応する記録済み時間と、自動削除領域Ｇ３Ａ’に対応する自動削除予定時間と、上書き記録領域Ｇ３Ｂに対応する上書き型毎日／毎週予約記録時間と、予約確保領域Ｇ３Ｃに対応する上書き型毎日／毎週予約記録時間を除く予約記録時間と、空き領域Ｇ３Ｄに対応する記録可能時間と、空き領域Ｇ３Ｄに自動削除領域Ｇ３Ａ’を加算した領域に対応する一定期間後記録可能時間と、全記録時間とを、文字で表示している。また第３テーブルＴ３は、全記録時間を１００パーセントとして、記録済み時間と、自動削除予定時間と、上書き型毎日／毎週予約記録時間と、上書き型毎日／毎週予約記録時間を除く予約記録時間と、記録可能時間と、一定期間後記録可能時間との、全記録時間に対する割合を百分率で表す文字で表示している。さらに第１テーブルＴ１は、記録済み領域Ｇ１Ａに対応する記録済み容量と、自動削除領域Ｇ３Ａ’に対応する自動削除予定容量と、上書き記録領域Ｇ１Ｂに対応する上書き型毎日／毎週予約記録容量と、予約確保領域Ｇ１Ｃに対応する上書き型毎日／毎週予約記録容量を除く予約記録容量と、空き領域Ｇ１Ｄに対応する残り記録容量と、空き領域Ｇ３Ｄに自動削除領域Ｇ３Ａ’を加算した領域に対応する一定期間後記録可能容量と、記録部４の画像データ記録部４ａの全記録時間とを文字で表示している。
【０１６１】
第３テーブルＴ３において、空き領域Ｇ３Ｄに対応する記録可能時間、および空き領域Ｇ３Ｄに自動削除領域Ｇ３Ａ’を加算した領域に対応する一定期間後記録可能時間は、記録予定画質別に表示するようにしてもよい。
【０１６２】
このように記録済時間に関して、記録されてから放置されているコンテンツの記録容量に対応する自動削除予定時間が、図１６のように図表示される。利用者は、自動削除時間後に提供されるコンテンツを予約したい場合、記録可能時間だけでなく自動削除予定時間をも確認して、当該コンテンツが記録可能であるか否かを判断することができるので、記録できない時間のコンテンツを誤って予約して、当該コンテンツが最後まで記録されないということを防止して、円滑に予約することができる。
【０１６３】
キーワード予約およびおすすめ予約されるコンテンツは、画像記録再生装置１によって自動的に記録予約されて記録されるので、このような記録予約は利用者の意思を直接的に反映していない。また時間が経過するにつれて、キーワード予約およびおすすめ予約されるコンテンツは、利用者が知らないうちに増えていく。本実施の形態の画像記録再生装置１では、自動削除時間放置されたコンテンツを自動削除することによって、記録部４が記録不可能になってしまうことを防止することができる。
【０１６４】
本実施の形態の画像記録再生装置１において、コンテンツは動画像および音声が含まれる動画像であるとしたけれども、これに限ることはない。コンテンツは、経時的に変化するような情報、たとえば音声としてもよい。またコンテンツは経時的に変化しない、たとえば静止画像、ウェブコンテンツなどのＨＴＭＬなどのマークアップ言語で記述されたデータおよびプログラムであってもよい。
【０１６５】
また本実施の形態の画像記録再生装置１において、提供元は放送局２０としたけれども、これに限ることはない。提供元は、たとえばインターネット２５を介して接続されるコンテンツサーバであってもよい。
【０１６６】
また前述の実施の形態では、記録方法が、予めその機能を有する装置によって実現されたけれども、これらの方法をコンピュータに実行させるためのプログラムに記録された状態で実現されてもよい。このような場合、コンピュータを用いて、同様の方法を実行することが可能である。
【０１６７】
【発明の効果】
以上のように本発明によれば、表示装置を記録装置に接続して、生成された表示データを表示装置に与えることによって、全記録時間、記録済時間、予約記録時間および記録可能時間を含む記録状態を図表示して、利用者に記録状態を報知することができる。また時間で表すことによって、記録手段の記録容量で表示する場合に比べて、利用者は容易に確認することができる。また利用者は、表示される記録状態を見ることで、記録可能時間、すなわち従来技術では確認できなかった既に予約されているコンテンツが記録されたときに記録することができる時間を確認することができる。したがって利用者は、記録可能時間を確認することで、さらに予約しようとするコンテンツが記録可能であるか否かを判断することができるので、記録できない時間のコンテンツを誤って予約して、当該コンテンツが最後まで記録されないということを防止して、円滑に予約することができる。また利用者は、記録手段の全記録時間における、記録済時間、予約記録時間および記録可能時間の割合を容易に確認することができる。これによって、たとえば利用者が、さらにコンテンツの記録を予約するときに、当該コンテンツを記録できるだけの記録可能時間が無い場合、利用者は、記録済時間および予約記録時間を確認して、既に記録されているコンテンツを削除したり、予約を取消したりして、記録可能時間を増やして、さらに予約しようとするコンテンツを確実に予約することができる。このように利用者の予約における自由度を高くして、利用者の意思に応じた予約を実現することができる。
【０１６８】
また本発明によれば、記録状態において、予約記録時間は、手動予約と、繰返し予約と、キーワード予約と、おすすめ予約とに分類されるので、利用者は、予約記録時間における、各予約の割合を容易に確認することができる。これによって、たとえば利用者が、さらにコンテンツの記録を予約するときに、当該コンテンツを記録できるだけの記録可能時間が無い場合、利用者は、予約記録時間における各予約の割合を確認して、取消したい予約を判断し、その予約を取消して、記録可能時間を増やして、さらに予約しようとするコンテンツを確実に予約することができる。このように利用者の予約における自由度をさらに高くして、利用者の意思に応じた予約を実現することができる。
【０１６９】
また本発明によれば、記録状態を、予め定める一定期間先までの記録予約に基づくことで、繰返し予約によって予約記録時間が不足することを防止することができる。
【０１７０】
また本発明によれば、利用者は、たとえば分単位および秒単位の詳細な記録可能時間を確認することができる。
【０１７１】
また本発明によれば、利用者が視聴しないで放置している記録手段に記録されているコンテンツが増加して、このようなコンテンツによって記録手段の残り記録容量がなくなってしまうことを防止することができる。また利用者は、自動削除時間後に提供されるコンテンツを予約したい場合、記録可能時間だけでなく自動削除予定時間をも確認して、当該コンテンツが記録可能であるか否かを判断することができるので、記録できない時間のコンテンツを誤って予約して、当該コンテンツが最後まで記録されないということを防止して、円滑に予約することができる。
【０１７２】
また本発明によれば、表示データは、記録状態を図表示するときに生成されるので、利用者に正確な記録状態を報知することができる。
【０１７３】
また本発明によれば、表示データは、記録状態が変化するときに生成されるので、利用者に正確な記録状態を報知することができる。
【０１７４】
また本発明によれば、生成された表示データを表示装置に与えることによって、全記録時間、記録済時間、予約記録時間および記録可能時間を含む記録状態を図表示して、利用者に記録状態を報知することができる。また時間で表すことによって、記録手段の記録容量で表示する場合に比べて、利用者は容易に確認することができる。また利用者は、表示される記録状態を見ることで、記録可能時間、すなわち従来技術では確認できなかった既に予約されているコンテンツが記録されたときに記録することができる時間を確認することができる。したがって利用者は、記録可能時間を確認することで、さらに予約しようとするコンテンツが記録可能であるか否かを判断することができるので、記録できない時間のコンテンツを誤って予約して、当該コンテンツが最後まで記録されないということを防止して、円滑に予約することができる。また利用者は、記録手段の全記録時間における、記録済時間、予約記録時間および記録可能時間の割合を容易に確認することができる。これによって、たとえば利用者が、さらにコンテンツの記録を予約するときに、当該コンテンツを記録できるだけの記録可能時間が無い場合、利用者は、記録済時間および予約記録時間を確認して、既に記録されているコンテンツを削除したり、予約を取消したりして、記録可能時間を増やして、さらに予約しようとするコンテンツを確実に予約することができる。このように利用者の予約における自由度を高くして、利用者の意思に応じた予約を実現することができる。
【０１７５】
また本発明によれば、コンピュータを用いて、前述のような利用者の意思に応じた予約を可能にする記録状態の表示を実現することができる。
【図面の簡単な説明】
【図１】本発明の実施の一形態の画像記録再生装置１の構成を示すブロック図である。
【図２】表示装置２１に表示されるアプリメニューＭ１を示す図である。
【図３】表示装置２１に表示されるチャンネル別番組表Ｍ２を示す図である。
【図４】表示装置２１に表示される番組ナビＭ３を示す図である。
【図５】表示装置２１に表示される記録一覧表Ｍ４を示す図である。
【図６】表示装置２１に表示される予約方法選択メニューＭ５を示す図である。
【図７】記録予約における概略的な手順および表示されるメニューを示す図である。
【図８】表示装置２１に表示される手動予約登録メニューＭ６を示す図である。
【図９】表示装置２１に表示されるキーワード一覧表Ｍ７を示す図である。
【図１０】表示装置２１に表示されるキーワード編集メニューＭ８を示す図である。
【図１１】表示装置２１に表示される予約確認メニューＭ９を示す図である。
【図１２】記録予約が重複したときに表示装置２１に表示される予約重複確認メニューＭ１０を示す図である。
【図１３】記録部４に記録予約されるコンテンツを記録可能な記憶容量が無いときに表示装置２１に表示される容量不足確認メニューＭ１１を示す図である。
【図１４】記録部４の記録状態を図表示する手順を示すフローチャートである。
【図１５】表示装置２１に表示される記録部４の記録状態を模式的に表す円グラフＧ１，Ｇ２およびテーブルＴ１，Ｔ２を示す図である。
【図１６】表示装置２１に表示される記録部４の記録状態を模式的に表す円グラフＧ３，Ｇ２およびテーブルＴ３，Ｔ２を示す図である。
【符号の説明】
１  画像記録再生装置
４  記録部
１１  中央制御部
２０  放送局
【図１】
2004153728.tif 000005
【図２】
2004153728.tif 000006
【図３】
2004153728.tif 000007
【図４】
2004153728.tif 000008
【図５】
2004153728.tif 000009
【図６】
2004153728.tif 000010
【図７】
2004153728.tif 000011
【図８】
2004153728.tif 000012
【図９】
2004153728.tif 000013
【図１０】
2004153728.tif 000014
【図１１】
2004153728.tif 000015
【図１２】
2004153728.tif 000016
【図１３】
2004153728.tif 000017
【図１４】
2004153728.tif 000018
【図１５】
2004153728.tif 000019
【図１６】
2004153728.tif 000020